(57)【要約】  本発明の実施形態は、通話の欠落を阻止するためのデバイス、システム、および方法を含む。例えば、ワイヤレス通信のための方法が記載される。ワイヤレス通信デバイスは、獲得を開始する。サポートされている帯域に関する絶対的な無線周波数チャネル番号のスキャンが、広帯域受信機を用いて実行される。周波数補正チャネルを含む絶対的な無線周波数チャネル番号が識別される。同期チャネルは、識別された１つまたは複数の周波数補正チャネルに対応するデータを用いて復号される。他の態様、実施形態、および特徴も、特許請求され、記載されている。
2016518799.tif 000002
【特許請求の範囲】
【請求項１】
無線通信のための方法であって、
獲得を開始することと、
サポートされている帯域に関する絶対的な無線周波数チャネル番号のスキャンを、広帯域受信機を用いて実行することと、
周波数補正チャネルを備える前記絶対的な無線周波数チャネル番号を識別することと、
前記識別された周波数補正チャネルに対応するデータを用いて同期チャネルを復号することと、
を備える、方法。
【請求項２】
前記方法が、マルチモード・ワイヤレス通信デバイスによって実行される、請求項１に記載の方法。
【請求項３】
複数のローカル発振器を用いて複数のスキャンが同時に実行される、請求項１に記載の方法。
【請求項４】
前記サポートされている帯域は、ＥＧＳＭ帯域、ＧＳＭ−８５０帯域、パーソナル通信サービス帯域、デジタル・セルラ・サービス帯域、ＰＧＳＭ帯域、ＲＧＳＭ帯域、ＧＳＭ  ４５０帯域、ＧＳＭ  ４８０帯域、ＧＳＭ  ７００帯域、およびＴ−ＧＳＭ  ８１０帯域のうちの１つまたは複数を備える、請求項１に記載の方法。
【請求項５】
前記同期チャネルを用いてサービングセルを獲得することをさらに備える、請求項１に記載の方法。
【請求項６】
前記広帯域受信機は、ロング・ターム・エボリューション広帯域受信機である、請求項１に記載の方法。
【請求項７】
前記広帯域受信機は、ワイヤレス・フィディリティ広帯域受信機である、請求項１に記載の方法。
【請求項８】
前記広帯域受信機は、広帯域チャネル分割多元接続広帯域受信機である、請求項１に記載の方法。
【請求項９】
スキャンされた絶対的な無線周波数チャネル番号のうちの、周波数補正チャネルを識別するために、高速フーリエ変換が使用される、請求項１に記載の方法。
【請求項１０】
前記識別された周波数補正チャネルを用いて、各絶対的な無線周波数チャネル番号のために、ブロードキャスト制御チャネルの受信信号強度インジケーションを取得することをさらに備える、請求項１に記載の方法。
【請求項１１】
各絶対的な無線周波数チャネル番号に関する同期チャネルの時間を、同じ広帯域スキャン・データ内の前記識別された周波数補正チャネルから離れた既知の期間のデータを用いて取得することをさらに備える、請求項１に記載の方法。
【請求項１２】
前記識別された周波数補正チャネルを、受信信号強度インジケーションに従ってソートすることをさらに備え、
ここにおいて、最も高い受信信号強度インジケーションを有する前記周波数補正チャネルを備える前記絶対的な無線周波数チャネル番号に対応する前記同期チャネルが、最初に復号される、請求項１に記載の方法。
【請求項１３】
選択された絶対的な無線周波数チャネル番号のキャプチャされたＩＱデータの右セクションを、同期チャネルのベースバンド信号の通常のフォーマットに配置することと、
クリーンな同期信号を取得するために、狭帯域フィルタを適用することと、
をさらに備える、請求項１２に記載の方法。
【請求項１４】
前記スキャンは、複数の無線アクセス技術のために、サポートされている帯域にわたって実行される、請求項１に記載の方法。
【請求項１５】
無線通信のための装置であって、
プロセッサと、
前記プロセッサと電気的に通信するメモリと、
前記メモリ内に記憶された命令と、
を備え、
前記命令は、
獲得を開始することと、
サポートされている帯域に関する絶対的な無線周波数チャネル番号のスキャンを、広帯域受信機を用いて実行することと、
周波数補正チャネルを備える前記絶対的な無線周波数チャネル番号を識別することと、
前記識別された周波数補正チャネルに対応するデータを用いて同期チャネルを復号することと、
を行うために、前記プロセッサによって実行可能である、装置。
【請求項１６】
前記装置が、マルチモード・ワイヤレス通信デバイスである、請求項１５に記載の装置。
【請求項１７】
複数のローカル発振器を用いて複数のスキャンが同時に実行される、請求項１５に記載の装置。
【請求項１８】
前記複数のローカル発振器が、並列構成で前記絶対的な無線周波数チャネル番号をスキャンするように構成される、請求項１７に記載の装置。
【請求項１９】
前記サポートされている帯域は、ＥＧＳＭ帯域、ＧＳＭ−８５０帯域、パーソナル通信サービス帯域、デジタル・セルラ・サービス帯域、ＰＧＳＭ帯域、ＲＧＳＭ帯域、ＧＳＭ  ４５０帯域、ＧＳＭ  ４８０帯域、ＧＳＭ  ７００帯域、およびＴ−ＧＳＭ  ８１０帯域のうちの１つまたは複数を備える、請求項１５に記載の装置。
【請求項２０】
前記命令は、前記同期チャネルを用いてサービングセルを獲得するようにさらに実行可能である、請求項１５に記載の装置。
【請求項２１】
前記広帯域受信機は、ロング・ターム・エボリューション広帯域受信機である、請求項１５に記載の装置。
【請求項２２】
前記広帯域受信機は、ワイヤレス・フィディリティ広帯域受信機である、請求項１５に記載の装置。
【請求項２３】
前記広帯域受信機は、広帯域チャネル分割多元接続広帯域受信機である、請求項１５に記載の装置。
【請求項２４】
スキャンされた絶対的な無線周波数チャネル番号のうちの、周波数補正チャネルを識別するために、高速フーリエ変換が使用される、請求項１５に記載の装置。
【請求項２５】
前記命令は、前記識別された周波数補正チャネルを用いて、各絶対的な無線周波数チャネル番号のために、ブロードキャスト制御チャネルの受信信号強度インジケーションを取得するようにさらに実行可能である、請求項１５に記載の装置。
【請求項２６】
前記命令は、各絶対的な無線周波数チャネル番号に関する前記同期チャネルの時間を、同じ広帯域スキャン・データ内の前記識別された周波数補正チャネルから離れた既知の期間のデータを用いて取得するようにさらに実行可能である、請求項１５に記載の装置。
【請求項２７】
前記命令は、前記識別された周波数補正チャネルを、受信信号強度インジケーションに従ってソートするようにさらに実行可能であり、
ここにおいて、最も高い受信信号強度インジケーションを有する前記周波数補正チャネルを備える前記絶対的な無線周波数チャネル番号に対応する前記同期チャネルが、最初に復号される、請求項１５に記載の装置。
【請求項２８】
前記命令は、
選択された絶対的な無線周波数チャネル番号のキャプチャされたＩＱデータの右セクションを、同期チャネルのベースバンド信号の通常のフォーマットに配置することと、
クリーンな同期信号を取得するために、狭帯域フィルタを適用することと、
を行うようにさらに実行可能である、請求項２７に記載の装置。
【請求項２９】
前記スキャンは、複数の無線アクセス技術のために、サポートされている帯域にわたって実行される、請求項１５に記載の装置。
【請求項３０】
無線通信のためのコンピュータ・プログラム製品であって、
前記コンピュータ・プログラム製品は、命令を有する非一時的なコンピュータ読取可能な媒体を備え、前記命令は、
ワイヤレス通信デバイスに、獲得を開始させるためのコードと、
前記ワイヤレス通信デバイスに、サポートされている帯域に関する絶対的な無線周波数チャネル番号のスキャンを、広帯域受信機を用いて実行させるためのコードと、
前記ワイヤレス通信デバイスに、周波数補正チャネルを備える前記絶対的な無線周波数チャネル番号を識別させるためのコードと、
前記ワイヤレス通信デバイスに、前記識別された周波数補正チャネルに対応するデータを用いて同期チャネルを復号させるためのコードと、
を備える、コンピュータ・プログラム製品。
【請求項３１】
前記ワイヤレス通信デバイスは、マルチモード・ワイヤレス通信デバイスである、請求項３０に記載のコンピュータ・プログラム製品。
【請求項３２】
前記サポートされている帯域は、ＥＧＳＭ帯域、ＧＳＭ−８５０帯域、パーソナル通信サービス帯域、デジタル・セルラ・サービス帯域、ＰＧＳＭ帯域、ＲＧＳＭ帯域、ＧＳＭ  ４５０帯域、ＧＳＭ  ４８０帯域、ＧＳＭ  ７００帯域、およびＴ−ＧＳＭ  ８１０帯域のうちの１つまたは複数を備える、請求項３０に記載のコンピュータ・プログラム製品。
【請求項３３】
スキャンされた絶対的な無線周波数チャネル番号のうちの、周波数補正チャネルを識別するために、高速フーリエ変換が使用される、請求項３０に記載のコンピュータ・プログラム製品。
【発明の詳細な説明】
【関連出願および優先権主張】
【０００１】
[0001]本願は、あたかも以下に、および、すべての適用可能な目的のために、完全に述べられているように、参照によって本明細書に組み込まれている２０１３年５月１３日に出願された、「増強されたＧＳＭ（登録商標）セル獲得（ENHANCED GSM（登録商標） CELL ACQUISITION）」に関する米国特許仮出願番号第６１／８２２，７５１号に関連し、それに対する優先権を主張する。
【技術分野】
【０００２】
[0002]以下に議論された技術は、一般に、通信システムに関し、さらに詳しくは、増強されたグローバル移動体通信システム（ＧＳＭ：Global System for Mobile Communications）セル獲得のためのシステムおよび方法に関する。改善された獲得時間によって、制限された電力リソースの効率的な使用を可能にし、および、提供する。
【背景技術】
【０００３】
[0003]ワイヤレス通信システムは、世界中の多くの人が通信する重要な手段となった。ワイヤレス通信システムは、多くのワイヤレス通信デバイスのために通信を提供し得、その各々は、基地局によってサービスされ得る。
【０００４】
[0004]ワイヤレス通信デバイスのユーザは、自分たちのデバイスが多くの機能を有していることを望んでいる。例えば、ユーザは、ワイヤレス通信デバイスの電源を入れて、直ちに、通話をするか、受話することを期待し得る。しかし、サービスが獲得され得、ワイヤレス通信が確立され得る前に、ワイヤレス通信デバイスは、初期獲得およびキャンプ・オン手順を実行しなくてはならない。それらの手順は、電源投入時に、および、ワイヤレス通信デバイスが、サービス・エリアを出て、その後、サービス・エリアに戻ったときに常に、実行される必要がある。これらの手順は、ユーザが通話をする前に、相当な長さの時間を必要とし得る。利点は、獲得のために必要とされる時間の長さと、キャンプ・オン手順とを減少させることによって実現され得る。
【発明の概要】
【０００５】
[0005]下記は、議論された技術の基本的理解を提供するための本開示のいくつかの態様を要約する。この要約は、開示の考慮されたすべての特徴の広範な概説ではなく、本開示のすべての態様の重要なまたは決定的な要素を特定することも、本開示の何れかまたはすべての態様の範囲を線引きすることも意図されていない。その唯一の目的は、本開示の１つまたは複数の態様のうちのいくつかの概念を、後に表されるような、より詳細な説明に対する前置きとして、要約形式で表すことである。
【０００６】
[0006]ワイヤレス通信のための方法が記載される。この方法は、獲得を開始することを含む。サポートされている帯域に関する絶対的な無線周波数チャネル番号のスキャンが、広帯域受信機を用いて実行される。周波数補正チャネルを含む絶対的な無線周波数チャネル番号が識別される。識別された周波数補正チャネルに対応するデータを用いて同期チャネルが復号される。
【０００７】
[0007]この方法は、マルチモード・ワイヤレス通信デバイスによって実行され得る。複数のローカル発振器を用いて複数のスキャンが同時に実行され得る。サポートされている帯域は、ＥＧＳＭ帯域、ＧＳＭ−８５０帯域、パーソナル通信サービス帯域、デジタル・セルラ・サービス帯域、ＰＧＳＭ帯域、ＲＧＳＭ帯域、ＧＳＭ  ４５０帯域、ＧＳＭ  ４８０帯域、ＧＳＭ  ７００帯域、およびＴ−ＧＳＭ  ８１０帯域のうちの１つまたは複数を含み得る。
【０００８】
[0008]同期チャネルを用いてサービングセルが獲得され得る。広帯域受信機は、ロング・ターム・エボリューション広帯域受信機、ワイヤレス・フィディリティ広帯域受信機、または、広帯域チャネル分割多元接続広帯域受信機であり得る。スキャンされた絶対的な無線周波数チャネル番号のうちの、周波数補正チャネルを識別するために、高速フーリエ変換が使用され得る。
【０００９】
[0009]識別された周波数補正チャネルを用いて、ブロードキャスト制御チャネルの受信信号強度インジケーションが、各絶対的な無線周波数チャネル番号のために取得され得る。各絶対的な無線周波数チャネル番号に関する同期チャネルの時間が、同じ広帯域スキャン・データ内の識別された周波数補正チャネルから離れた既知の期間のデータを用いて取得され得る。
【００１０】
[0010]識別された周波数補正チャネルは、受信信号強度インジケーションに従ってソートされ得る。最も高い受信信号強度インジケーションを有する周波数補正チャネルを含む絶対的な無線周波数チャネル番号に対応する同期チャネルが、最初に復号され得る。
【００１１】
[0011]選択された絶対的な無線周波数チャネル番号のキャプチャされたＩＱデータの右セクションは、同期チャネルのベースバンド信号の通常のフォーマットに配置され得る。クリーンな同期信号を取得するために、狭帯域フィルタが適用され得る。このスキャンは、複数の無線アクセス技術のためにサポートされている帯域にわたって実行され得る。
【００１２】
[0012]ワイヤレス通信のための装置も記載される。この装置は、プロセッサ、プロセッサと電気的に通信するメモリ、およびメモリ内に記憶された命令を含む。これら命令は、獲得を開始するためにプロセッサによって実行可能である。これら命令はまた、広帯域受信機を用いて、サポートされている帯域に関する絶対的な無線周波数チャネル番号のスキャンを実行するために、プロセッサによって実行可能である。これら命令は、周波数補正チャネルを含む絶対的な無線周波数チャネル番号を識別するためにプロセッサによってさらに実行可能である。これら命令はまた、識別された周波数補正チャネルに対応するデータを用いて同期チャネルを復号するためにプロセッサによって実行可能である。
【００１３】
[0013]ワイヤレス・デバイスが記載される。ワイヤレス・デバイスは、獲得を開始するための手段を含む。ワイヤレス・デバイスはまた、広帯域受信機を用いて、サポートされている帯域に関する絶対的な無線周波数チャネル番号のスキャンを実行するための手段を含む。ワイヤレス・デバイスは、周波数補正チャネルを含む絶対的な無線周波数チャネル番号を識別するための手段をさらに含む。ワイヤレス・デバイスはまた、識別された周波数補正チャネルに対応するデータを用いて同期チャネルを復号するための手段を含む。
【００１４】
[0014]ワイヤレス通信のためのコンピュータ・プログラム製品も記載される。このコンピュータ・プログラム製品は、命令を有する非一時的なコンピュータ読取可能な媒体を含む。これら命令は、ワイヤレス通信デバイスに、獲得を開始させるためのコードを含む。これら命令はまた、ワイヤレス通信デバイスに、広帯域受信機を用いて、サポートされている帯域に関する絶対的な無線周波数チャネル番号のスキャンを実行させるためのコードを含む。これら命令は、ワイヤレス通信デバイスに、周波数補正チャネルを含む絶対的な無線周波数チャネル番号を識別させるためのコードを含む。これら命令はまた、ワイヤレス通信デバイスに、識別された周波数補正チャネルに対応するデータを用いて同期チャネルを復号させるためのコードを含む。
【００１５】
[0015]本発明の他の態様、特徴、および実施形態は、添付図面と連携した本発明の特定の典型的な実施形態の以下の記載を考慮して、当業者に明らかになるであろう。本発明の特徴は、いくつかの実施形態および図面に関して以下に議論され得るが、本発明のすべての実施形態は、本明細書で議論された有利な特徴のうちの１つまたは複数を含み得る。言い換えれば、１つまたは複数の実施形態は、いくつかの有利な機能を有するものとして議論され得るが、このような機能のうちの１つまたは複数はまた、本明細書で議論されている発明のさまざまな実施形態にしたがって使用され得る。同様の手法で、典型的な実施形態は、以下においてデバイス、システム、または方法の実施形態として議論されているが、このような典型的な実施形態は、さまざまなデバイス、システム、および方法で実現され得ることが理解されるべきである。
【図面の簡単な説明】
【００１６】
【図１】[0016]図１は、いくつかの実施形態に従う、複数のワイヤレス・デバイスを有するワイヤレス通信システムを示す。
【図２】[0017]図２は、いくつかの実施形態に従う、増強されたＧＳＭセル獲得のための方法のフロー図である。
【図３】[0018]図3は、いくつかの実施形態に従う、増強されたＧＳＭセル獲得のための方法のフロー図である。
【図４】[0019]図４は、いくつかの実施形態に従うＡＲＦＣＮマルチフレームを例示する。
【図５】[0020]図５は、いくつかの実施形態に従うワイヤレス通信デバイスを例示するブロック図である。
【図６】[0021]図６は、いくつかの実施形態に従うワイヤレス通信システムの例を示す。
【図７】[0022]図７は、いくつかの実施形態に従うワイヤレス通信システムにおける送信機および受信機のブロック図を示す。
【図８】[0023]図８は、いくつかの実施形態に従う受信機における受信機ユニットおよび復調器の設計のブロック図を示す。
【図９】[0024]図９は、いくつかの実施形態に従うＧＳＭにおける例示的なフレーム・フォーマットおよびバースト・フォーマットを示す。
【図１０】[0025]図１０は、いくつかの実施形態に従うＧＳＭシステムにおける例示的なスペクトルを示す。
【図１１】[0026]図１１は、いくつかの実施形態に従う、送信回路（電力増幅器を含む）と、受信回路と、電力コントローラと、復号プロセッサと、信号処理の際に使用するための処理ユニットと、メモリとを含むワイヤレス・デバイスの一例を例示する。
【図１２】[0027]図１２は、いくつかの実施形態に従う送信機構成および／またはプロセスの例を例示する。
【図１３】[0028]図１３は、いくつかの実施形態に従う、ワイヤレス通信デバイス内に含まれ得るいくつかの構成要素を例示する。
【発明を実施するための形態】
【００１７】
[0029]図１は、いくつかの実施形態に従う、複数のワイヤレス・デバイスを有するワイヤレス通信システム１００を示す。ワイヤレス通信システム１００は、音声、データ等のようなさまざまなタイプの通信コンテンツを提供するために広く展開されている。ワイヤレス・デバイスは、基地局１０２またはワイヤレス通信デバイス１０４であり得る。ワイヤレス通信デバイス１０４は、増強されたＧＳＭセル獲得のために構成され得る。例えば、ワイヤレス通信デバイス１０４は、サービングセルを取得するために、多元無線アクセス技術（ＲＡＴ）および／または複数の帯域にわたって迅速に探索するように構成され得る。
【００１８】
[0030]基地局１０２は、１つまたは複数のワイヤレス通信デバイス１０４と通信する局である。基地局１０２はまた、アクセスポイント、基地トランシーバ局（ＢＴＳ）、ブロードキャスト送信機、ノードＢ、エボルブド・ノードＢ等と称され、これらの機能のうちのいくつかまたはすべてを含み得る。本明細書では「基地局」という用語が使用されるであろう。各基地局１０２は、特定の地理的エリアのためにカバレージを提供する。基地局１０２は、１つまたは複数のワイヤレス通信デバイス１０４のために通信カバレージを提供し得る。「セル」という用語は、その用語が使用されるコンテキストに依存して基地局１０２および／またはそのカバレージエリアと称され得る。
【００１９】
[0031]ワイヤレス通信システム１００（例えば、多元接続システム）における通信は、ワイヤレス・リンクを介した送信を通じて達成され得る。そのような通信リンクは、単入力単出力（ＳＩＳＯ）、多入力単出力（ＭＩＳＯ）、または多入力多出力（ＭＩＭＯ）システムによって確立され得る。ＭＩＭＯシステムは、データ送信のために、複数（ＮＴ）個の送信アンテナおよび複数（ＮＲ）個の受信アンテナをそれぞれ備えた（１つまたは複数の）送信機および（１つまたは複数の）受信機を含む。ＳＩＳＯシステムおよびＭＩＳＯシステムは、ＭＩＭＯシステムの特定の事例である。ＭＩＭＯシステムは、複数の送信アンテナおよび受信アンテナによって生成される追加のディメンショナリティが利用される場合、改善されたパフォーマンス（例えば、より高いスループット、より大きい容量、または改善された信頼性）を提供し得る。
【００２０】
[0032]ワイヤレス通信システム１００は、ＭＩＭＯを利用し得る。ＭＩＭＯシステムは、時分割複信（ＴＤＤ）システムと周波数分割複信（ＦＤＤ）システムとの両方をサポートし得る。ＴＤＤシステムでは、相互原理が、アップリンク・チャネルからのダウンリンク・チャネルの推定を可能にするように、アップリンク送信およびダウンリンク送信が同じ周波数領域にある。これは、送信元のワイヤレス・デバイス（a transmitting wireless device）が、送信元のワイヤレス・デバイスによって受信された通信からの送信ビームフォーミング利得を抽出することを可能にする。
【００２１】
[0033]ワイヤレス通信システム１００は、利用可能なシステム・リソース（例えば、帯域幅および送信電力）を共有することによって、複数のワイヤレス通信デバイス１０４との通信をサポートすることが可能な多元接続システムであり得る。そのような多元接続システムの例は、符号分割多元接続（ＣＤＭＡ）システム、広帯域符号分割多元接続（ＷＣＤＭＡ（登録商標））システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、第３世代パートナーシッププロジェクト（３ＧＰＰ）ロング・ターム・エボリューション（ＬＴＥ）システム、および空間分割多元接続（ＳＤＭＡ）システムを含む。
【００２２】
[0034]「ネットワーク」および「システム」という用語は、しばしば置換可能に使用される。ＣＤＭＡネットワークは、例えば、ユニバーサル地上無線アクセス（ＵＴＲＡ）、ｃｄｍａ２０００等のような無線技術を実現し得る。ＵＴＲＡは、ＷＣＤＭＡおよび低チップ・レート（ＬＣＲ）を含む一方、ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ）のような無線技術を実現し得る。ＯＦＤＭＡネットワークは、例えば、エボルブドＵＴＲＡ（Ｅ−ＵＴＲＡ）、ＩＥＥＥ８０２．１１、ＩＥＥＥ８０２．１６、ＩＥＥＥ８０２．２０、フラッシュ−ＯＦＤＭＡ等のような無線技術を実現することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・エボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびロング・ターム・エボリューション（ＬＴＥ）は、「第３世代パートナーシッププロジェクト」（３ＧＰＰ）と命名された組織からの文書に記載されている。ｃｄｍａ２０００は、「第３世代パートナーシッププロジェクト２」（３ＧＰＰ２）という名称の組織からの文書に記載されている。
【００２３】
[0035]第３世代パートナーシッププロジェクト（３ＧＰＰ）は、世界的に適用可能な第３世代（３Ｇ）モバイル電話仕様を定義することを目的とするテレコミュニケーション団体のグループ間でのコラボレーションである。３ＧＰＰロング・ターム・エボリューション（ＬＴＥ）は、ユニバーサル・モバイル・テレコミュニケーション・システム（ＵＭＴＳ）モバイル電話規格の改善を目指した３ＧＰＰプロジェクトである。３ＧＰＰは、モバイル・ネットワーク、モバイル・システム、およびモバイル・デバイスの次世代のための仕様を定義し得る。
【００２４】
[0036]３ＧＰＰロング・ターム・エボリューション（ＬＴＥ）では、ワイヤレス通信デバイス１０４は、「ユーザ機器」（ＵＥ）と称され得る。ワイヤレス通信デバイス１０４はまた、端末、アクセス端末、加入者ユニット、局等と称され得、端末、アクセス端末、加入者ユニット、局等の機能のいくつかまたはすべてを含み得る。ワイヤレス通信デバイス１０４は、セルラ電話、携帯情報端末（ＰＤＡ）、ワイヤレス・デバイス、ワイヤレス・モデム、ハンドヘルド・デバイス、ラップトップ・コンピュータ等であり得る。
【００２５】
[0037]ワイヤレス通信デバイス１０４は、任意の所与の瞬間において、ダウンリンク１２９および／またはアップリンク１２７上で、０、１、または複数の基地局１０２と通信し得る。ダウンリンク１２９（すなわち順方向リンク）は、基地局１０２からワイヤレス通信デバイス１０４への通信リンクを指し、アップリンク１２７（すなわち逆方向リンク）は、ワイヤレス通信デバイス１０４から基地局１０２への通信リンクを指す。ワイヤレス通信デバイス１０４は、グローバル移動体通信システム（ＧＳＭ）、ロング・ターム・エボリューション（ＬＴＥ）、ワイヤレス・フィディリティ（Ｗｉ−Ｆｉ（登録商標））、および広帯域ＣＤＭＡを用いるように構成され得る。
【００２６】
[0038]グローバル移動体通信システム（ＧＳＭ）は、セルラ・ワイヤレス通信において広く普及している規格である。ＧＳＭは、標準的な音声サービスに比較的効率的である。しかしながら、高いフィディリティのオーディオ・サービスおよびデータ・サービスは、ＧＳＭが最適化されるものよりも高いデータ・スループット・レートを必要とする。容量を増やすために、ＧＳＭシステムでは、汎用パケット・無線サービス（ＧＰＲＳ）規格、ＥＤＧＥ（Enhanced Data rates for GSM Evolution）規格、およびＵＭＴＳ（Universal Mobile Telecommunications System）規格が適用されている。ＧＳＭ／ＥＤＧＥ無線アクセス・ネットワーク（ＧＥＲＡＮ）仕様では、ＧＰＲＳおよび増強された汎用パケット・無線サービス（ＥＧＰＲＳ）が、データ・サービスを提供する。ＧＥＲＡＮのための規格は、３ＧＰＰ（第３世代パートナーシッププロジェクト）によって維持されている。ＧＥＲＡＮは、ＧＳＭの一部である。さらに詳しくは、ＧＥＲＡＮは、基地局１０２（ＡｔｅｒインターフェースおよびＡｂｉｓインターフェース）と、基地局コントローラ（Ａインターフェース等）とを連結するネットワークと共に、ＧＳＭ／ＥＤＧＥの無線部分である。ＧＥＲＡＮは、ＧＳＭネットワークのコアを表す。それは、ＰＳＴＮ（公衆交換電話ネットワーク）およびインターネットからの通話およびパケット・データを遠隔端末へ、および、遠隔端末からの通話およびパケット・データをＰＳＴＮ（公衆交換電話ネットワーク）およびインターネットへルーティングする（routes）。ＧＥＲＡＮはまた、組み合わされたＵＭＴＳ／ＧＳＭネットワークの一部である。
【００２７】
[0039]ＧＳＭは、スペクトル・リソースを共有する目的のために、時分割多元接続（ＴＤＭＡ）および周波数分割多元接続（ＦＤＭＡ）の組み合わせを適用する。ＧＳＭネットワークは、一般に、多くの周波数帯域で動作する。例えば、ＧＳＭネットワークは、ＧＳＭ−８５０帯域、ＥＧＳＭ帯域（Ｅ−ＧＳＭ−９００帯域とも称される）、ＤＣＳ（デジタル・セルラ・サービス）帯域（ＤＣＳ−１８００とも称される）、ＰＣＳ（パーソナル通信サービス）帯域（ＰＣＳ−１９００とも称される）、Ｐ−ＧＳＭ帯域、Ｒ−ＧＳＭ帯域、およびＴ−ＧＳＭ帯域を使用し得る。リファーミング（refarming）によって、未だに定義されていない多くの追加のＧＳＭ帯域も使用され得る。
【００２８】
[0040]ＧＳＭ−８５０帯域は一般に、アップリンク１２７のために、８２４．２−８４９．２メガヘルツ（ＭＨｚ）周波数範囲における無線スペクトルを使用し、ダウンリンク１２９のために、８６９．２−８９４．２ＭＨｚ周波数範囲における無線スペクトルを使用し得る。ＥＧＳＭ帯域は、アップリンク１２７のために、８８０−９１５ＭＨｚ周波数範囲における無線スペクトルを使用し、ダウンリンク１２９のために、９２５−９６０ＭＨｚ周波数範囲における無線スペクトルを使用し得る。ＤＣＳ帯域は、アップリンク１２７のために、１７１０．２−１７８４．８ＭＨｚ周波数範囲における無線スペクトルを使用し、ダウンリンク１２９のために、１８０５．２−１８７９．８ＭＨｚ周波数範囲における無線スペクトルを使用し得る。ＰＣＳ帯域は、アップリンク１２７のために、１８５０．２−１９０９．８ＭＨｚ周波数範囲における無線スペクトルを使用し、ダウンリンク１２９のために、１９３０．２−１９８９．８ＭＨｚ周波数範囲における無線スペクトルを使用し得る。
【００２９】
[0041]各周波数帯域は、２００キロヘルツ（ｋＨｚ）で間隔を空けられた１２４のＲＦチャネルを提供する２００ｋＨｚキャリア周波数へ分割され得る。ＧＳＭ−１９００は、アップリンク１２７のために、１８５０−１９１０ＭＨｚ帯域を使用し、ダウンリンク１２９のために、１９３０−１９９０ＭＨｚ帯域を使用する。ＧＳＭ−９００のように、ＦＤＭＡは、アップリンク１２７とダウンリンク１２９との両方のためのスペクトルを、２００ｋＨｚ幅のキャリア周波数へ分割する。同様に、ＧＳＭ−８５０は、アップリンク１２７のために８２４−８４９ＭＨｚ帯域を使用し、ダウンリンク１２９のために８６９−８９４ＭＨｚ帯域を使用する一方、ＧＳＭ−１８００は、アップリンク１２７のために１７１０−１７８５ＭＨｚ帯域を使用し、ダウンリンク１２９のために１８０５−１８８０ＭＨｚ帯域を使用する。
【００３０】
[0042]ＧＳＭにおける各チャネルは、特定の絶対無線周波数チャネル番号（ＡＲＦＣＮ：specific absolute radio frequency channel number）によって識別される。例えば、ＡＲＦＣＮ  １−１２４が、ＧＳＭ−９００のチャネルに割り当てられ、ＡＲＦＣＮ  １２８−２５１が、ＧＳＭ−８５０のチャネルに割り当てられ、ＡＲＦＣＮ  ０−１２３および９７５−１０２３が、ＥＧＳＭに割り当てられ、ＡＲＦＣＮ  ５１２−８８５が、ＤＣＳおよびＰＣＳに割り当てられる。１つの構成では、ＤＣＳは、ＡＲＦＣＮ  ５１２−８８８を含み得る一方、ＰＣＳは、ＡＲＦＣＮ  ５１２−８１０を含む。ＰＣＳ帯域およびＤＣＳ帯域はいくつかの共通のＡＲＦＣＮを共有するが、共有されたＡＲＦＣＮは、異なるキャリア周波数へマッピングされる（そして、一般に、ＰＣＳ帯域およびＤＣＳ帯域は、共存しない）。ＧＳＭでは、各チャネルは、２００ｋＨｚのチャネル幅を有し得る。したがって、ＥＧＳＭ帯域は、１７５のチャネルを有し、ＤＣＳ帯域は、３７５のチャネルを有し、ＰＣＳ帯域は、３００のチャネルを有し、ＧＳＭ−８５０帯域は、１２５のチャネルを有する。
【００３１】
[0043]加入されるネットワークに登録する前に、ワイヤレス通信デバイス１０４は、サービングセルとしてサービス提供する可能性のあるセルのショート・リストを取得する必要があり得る。１つの構成では、ワイヤレス通信デバイス１０４は、前のサービングセルを記録するデータベースを含み得、これによって、登録を加速する。しかしながら、データベースは、いくつかのシナリオにおいて、役に立たないことがあり得る。例えば、ちょうど電源を入れられたワイヤレス通信デバイス１０４、カバレージ問題を経験しているワイヤレス通信デバイス１０４、良好にカバーされたエリアに戻ったワイヤレス通信デバイス１０４、起動中の新たなワイヤレス通信デバイス１０４、新たにリイメージされた（reimaged）ソフトウェアを有するワイヤレス通信デバイス１０４、異なる国、異なる地域、または別のセルに持ち込まれたワイヤレス通信デバイス１０４、別のモバイル・ネットワーク・オペレータ（ＭＮＯ）から加入識別モジュール（ＳＩＭ）カードをちょうど受け取ったワイヤレス通信デバイス１０４、複数の無線アクセス技術（ＲＡＴ）にわたってスキャンする必要のあるマルチモード・ワイヤレス通信デバイス１０４、および、移動中のワイヤレス通信デバイス１０４は、登録を加速するために、前のサービングセルを有するデータベースを使用することができないであろう。このデータベース解決策が利用可能ではない場合、ワイヤレス通信デバイス１０４はその代わりに、ＡＲＦＣＮをスキャンし得る。
【００３２】
[0044]ＡＲＦＣＮをスキャンすることによって、ワイヤレス通信デバイス１０４は、サービングセルとして動作し得る可能なセルを決定できるようになる。具体的には、ワイヤレス通信デバイス１０４は、周波数補正チャネル（ＦＣＣＨ）１１３を発見するためにＡＲＦＣＮをスキャンし得る。ＦＣＣＨ  １１３は、ワイヤレス通信デバイス１０４が、ローカル発振器（ＬＯ）を基地局１０２クロックにロック（lock）できるようにするＧＳＭ  Ｕｍエア・インターフェース１３１におけるダウンリンク・オンリー制御チャネルである。ＦＣＣＨ  １１３は、同期チャネル（ＳＣＨ）直前のフレームにおいて送信される。したがって、ワイヤレス通信デバイス１０４が、ＦＣＣＨ  １１３を発見すると、ワイヤレス通信デバイス１０４は、ＳＣＨを発見し、それを復号し得る。
【００３３】
[0045]ＡＲＦＣＮをスキャンすることは、相当な長さの時間を必要とし得る。この時間期間は、セル獲得（ＡＣＱ）時間と称され得る。セルＡＣＱ時間は、すべての無線アクセス技術（ＲＡＴ）のすべてのブロードキャスト制御チャネル（ＢＣＣＨ）を発見することを要求される時間の長さであり得る。ワイヤレス通信デバイス１０４は、ワイヤレス通信デバイス１０４が動作し得る各々およびすべての帯域／モードで電力スキャンを実行する必要があり得る。ＧＳＭスペクトル・リファーミングの導入により、ワイヤレス通信デバイス１０４は、例えばＷＣＤＭＡ、ＣＤＭＡ／ＥＶ−ＤＯ、およびＬＴＥのように、ＧＳＭに加えて、他の無線アクセス技術（ＲＡＴ）を探索するのに追加の時間を費やし得る。
【００３４】
[0046]ＧＳＭのための４つのポピュラーな帯域内（ＧＳＭ−８５０帯域、ＥＧＳＭ帯域、ＤＣＳ帯域、およびＰＣＳ帯域）では、ワイヤレス通信デバイス１０４は、９７５のＡＲＦＣＮをスキャンする必要があり得る。１つの問題は、ＧＳＭが狭帯域システムであり、ここで、従来方法は、各ＡＲＦＣＮを１つずつスキャンすることである。例えば、ワイヤレス通信デバイス１０４は、加入されるネットワークにワイヤレス通信デバイス１０４が登録することができる前に、ＡＲＦＣＮをスキャンするのに１０〜２０秒を費やし得る。さらに、ワイヤレス通信デバイス１０４は、より複雑になると、（追加のサポートされている帯域、および追加のサポートされている無線アクセス技術（ＲＡＴ）によって、）ＡＲＦＣＮをスキャンするために費やされる追加の時間が必要とされ得る。
【００３５】
[0047]典型的には、無線リソース（ＲＲ）管理エンティティが、レイヤ１に、４つのポピュラーなＧＳＭ帯域（すなわち、ＥＧＳＭ帯域、ＧＳＭ−８５０帯域、ＤＣＳ帯域、およびＰＣＳ帯域）において９７５のＡＲＦＣＮをスキャンするように命じ得る。レイヤ１は、最も高い電力から、最も低い電力へリストされた、ソートされたＡＲＦＣＮ（スキャンされた１００を超えるＡＲＦＣＮが存在し得る）のリストを、レポート・バックし得る。その後、無線リソース（ＲＲ）管理エンティティは、レイヤ１に、先頭の（top）ＡＲＦＣＮにおけるＦＣＣＨ  １１３を発見するように努めることを要求し得る。ＦＣＣＨ  １１３は、ＢＣＣＨ  ＡＲＦＣＮにおいてほぼ５０ミリ秒（ｍｓ）毎に発生する６７ｋＨｚのトーンを有するバーストである。したがって、ＧＳＭワイヤレス通信デバイス１０４は、そのチャネルがＢＣＣＨであるか否かを決定するために、受信された電力ですべてのチャネル上において、５０ｍｓ待つ必要があり得る。これは浪費的である。なぜなら、ほとんどのチャネルは、トラフィック・チャネル（ＴＣＨ）であり、ＢＣＣＨではないからである。
【００３６】
[0048]電源オンおよび通常使用の両方のために、サービス停止（ＯＯＳ）になることは、通信においてよくあることである。これは、普遍的なカバレージを提供することはまだ可能ではないからである。さらに、カバレージを求める探索は、バッテリ電力を使用する。注意深く考慮されなければ、ＡＣＱ時間は、バッテリを消耗し得、ワイヤレス通信デバイス１０４を使用不可にする。したがって、オペレータは、サービス停止（ＯＯＳ）を取り扱う効率的な手法に関心がある。典型的には、合理的な周期的探索が、セルカバレージを取得するために使用される。サービスが長い時間期間発見されていない場合、この周期は、数分もの長さになり得る。
【００３７】
[0049]ワイヤレス通信デバイス１０４は、増強されたＧＳＭセル獲得モジュール１０５を含み得る。増強されたＧＳＭセル獲得モジュール１０５は、加入されるネットワークに登録するためにワイヤレス通信デバイス１０４が必要とされる時間の長さを低減し得る。さらに詳しくは、増強されたＧＳＭセル獲得モジュール１０５は、ワイヤレス通信デバイス１０４のマルチモード機能を活用する。
【００３８】
[0050]マルチモード・ワイヤレス通信デバイス１０４では、ＧＳＭは、典型的に、他の広帯域無線アクセス技術（ＲＡＴ）のために追加されたサポートと共に、ベースラインとして使用される。これらのその他のＲＡＴは、ＷＣＤＭＡ、ＬＴＥ、および／または、その変形を含み得る。
【００３９】
[0051]いくつかの実施形態に従って、マルチモード・ワイヤレス通信デバイス１０４は、増強されたＧＳＭセル獲得モジュール１０５を用いるためにハードウェア基礎を含み得る。例えば、マルチモード・ワイヤレス通信デバイス１０４は、広帯域受信機１１９を含み得る。広帯域受信機１１９は、ロング・ターム・エボリューション（ＬＴＥ）広帯域受信機１１９、Ｗｉ−Ｆｉ広帯域受信機１１９、またはＷＣＤＭＡ広帯域受信機１１９であり得る。１つの構成では、広帯域受信機１１９は、２０ＭＨｚ広帯域受信機１１９であり得る。
【００４０】
[0052]マルチモード・ワイヤレス通信デバイス１０４はまた、その他の構成要素および機能を含み得る。例えば、ワイヤレス通信デバイス１０４は、高速フーリエ変換（ＦＦＴ）ハードウェア１２１、回転子（rotator）１２３、および狭帯域フィルタ１２５を含み得る。高速フーリエ変換（ＦＦＴ）ハードウェア１２１は、スキャンされたＡＲＦＣＮ  １１１におけるＦＣＣＨ  １１３を識別するために使用され得る。回転子１２３は、ＡＲＦＣＮ  １１１の、キャプチャされたＩＱデータ１０７の右セクションを、ＳＣＨのベースバンド信号の通常フォーマットへ配置するために使用され得る。狭帯域フィルタ１２５は、クリーンなＳＣＨ信号を取得するために使用され得る。
【００４１】
[0053]広帯域受信機１１９は、５２ミリ秒（ｍｓ）（これは、電力スキャンよりも相当少ない）毎に２００のＡＲＦＣＮをスキャンするために利用され得る。スキャン２００はまた、キャリア・スキャンまたはトーン・スキャンとも称され得る。したがって、広帯域受信機１１９は、１つのスキャン（５２ｍｓ）を用いて、ＥＧＳＭ帯域において１７５のＡＲＦＣＮをスキャンし得る。広帯域受信機１１９はまた、１つのスキャン（５２ｍｓ）を用いて、ＧＳＭ−８５０帯域において１２５のＡＲＦＣＮをスキャンし得る。５２ｍｓのスキャンは、スキャンされた２００のＡＲＦＣＮにおける可能なすべてのＦＣＣＨ  １１３出現をカバーする。
【００４２】
[0054]ＤＣＳ帯域とＰＣＳ帯域との両方は、２００を超えるＡＲＦＣＮを含む（ＤＣＳは３７５のＡＲＦＣＮを有し、ＰＣＳは３００のＡＲＦＣＮを有する）。したがって、ＤＣＳ帯域およびＰＣＳ帯域は、広帯域受信機１１９によって各々２つのスキャンを必要とし得る。しかしながら、２つ以上のローカル発振器（ＬＯ）が使用されるのであれば、広帯域受信機１１９は、１つのスキャン（５２ｍｓ）でＤＣＳ帯域を、１つのスキャン（５２ｍｓ）でＰＣＳ帯域を、１つのスキャン（５２ｍｓ）でＧＳＭ−８５０帯域とＥＧＳＭ帯域との両方を、スキャンし得る。したがって、広帯域受信機１１９は、１５６ｍｓで４つすべての帯域をスキャンし得る。ローカル発振器（ＬＯ）の各々は、スキャンされた帯域（例えば、ＧＳＭ帯域）のために適切な中心周波数および異なる帯域幅のためのオプションを有し得る。１つの構成では、各ローカル発振器（ＬＯ）は、他の帯域とのオーバラップを最小化しながら、帯域がカバーされるように構成され得る。極端なダイナミック・レンジが必要とされる場合、適切なサービングセルが、他のセルと識別可能であることを保証するために、ロング・ターム・エボリューション（ＬＴＥ）によって使用される異なる帯域幅が使用され得る。その後、サービングセルからの信号との干渉を生成する近傍セルを避けるために、より狭い帯域が使用され得る。いくつかの構成では、複数のローカル発振器（ＬＯ）が、並列構成でＡＲＦＣＮをスキャンするように構成され得る。
【００４３】
[0055]サポートされている帯域がスキャンされると、ワイヤレス通信デバイス１０４は、スキャンされたＡＲＦＣＮ  １１１における何れかのＦＣＣＨ  １１３を識別するために、高速フーリエ変換（ＦＦＴ）ハードウェア１２１を使用し得る。高速フーリエ変換（ＦＦＴ）ハードウェア１２１は、その後、ＦＣＣＨ  １１３のＡＲＦＣＮ  １１１、ＢＣＣＨの受信信号強度インジケーション（ＲＳＳＩ：received signal strength indication）１１７、およびＳＣＨの時間を決定することができる。増強されたＧＳＭセル獲得モジュールは、それらの受信信号強度インジケーション（ＲＳＳＩ）１１５に従って、ＦＣＣＨ  １１３をソートし得る。その後、ワイヤレス通信デバイス１０４は、キャプチャされた同じＩＱデータを用いて、最も高い受信信号強度インジケーション（ＲＳＳＩ）を持つＦＣＣＨ  １１３のＳＣＨを復号し得る。システム情報ブロックＳＩ  ３／４は、予測可能な位置に存在し得る。ＦＣＣＨ  １１３およびＳＣＨが発見されると、ＳＩ  ３／４が共にグループ化され、さらに、広帯域受信機１１９を用いて取得され得る。
【００４４】
[0056]自動利得制御（ＡＧＣ）の使用は、サンプリング帯域幅における信号に飽和（saturation）が発生しないことを保証し得る。最良ケースのシナリオでは、最も高い電力レベルを持つセルは、ユーザの公衆陸線モバイル・ネットワーク（ＰＬＭＮ）である。しかしながら、ほとんどのケースでは、見込みのあるサービングセルに対するワイヤレス通信デバイス１０４の位置に依存して、電力レベルは、自動利得制御（ＡＧＣ）設定によって適応されるのに十分好適であり、見込みのあるサービングセルが、正しく識別される。いくつかのコーナ・ケース（some corner cases）については、ワイヤレス通信デバイス１０４の、見込みのあるサービングセルからの電力レベルは、自動利得制御（ＡＧＣ）の制限されたダイナミック・レンジ（これらは、飽和を回避するために主に設定される）において適応されるには低すぎるので、２０ＭＨｚ  ＡＣＱは、どの適切な、見込みのあるサービングセルをも発見しないことがあり得る。
【００４５】
[0057]−４８  ｄＢｍよりも上の高い電力レベルがある場合、ワイヤレス通信デバイス１０４は、広帯域受信機１１９を絞り込み（ＬＴＥは、６つの異なるＢＷ：すなわち２０，１５，１０，５，３，および１．４ＭＨｚを有する）、前の試行においてどのＢＣＣＨをも示していない低電力レベルの範囲を再びサンプルするためにローカル発振器（ＬＯ）を適切に配置する（park）。これは、従来の２００ｋＨｚ狭帯域ＡＣＱ技法への自然なフォールバックに導き得る。この第２のスキャンおよび後続するスキャンは、所望されるサービングセルの−１１０  ｄＢｍにおいてＦＣＣＨ  １１３を取得することを目的とされている。このフォールバック手順は、コーナ・ケースにおいてのみ使用され、増強されたＧＳＭ  ＡＣＱは、ほとんどのケースにおいて十分であるべきである。
【００４６】
[0058]図２は、いくつかの実施形態に従う、増強されたＧＳＭセル獲得のための方法９００のフロー図である。この方法９００は、ワイヤレス通信デバイス１０４によって実行され得る。１つの構成では、ワイヤレス通信デバイス１０４は、ＧＳＭ規格にしたがって構成され得る。ワイヤレス通信デバイス１０４は、複数の帯域および／または複数の無線アクセス技術（ＲＡＴ）を用いて通信することが可能なマルチモード・デバイスであり得る。したがって、ワイヤレス通信デバイス１０４は、（前述したように）広帯域受信機１１９および高速フーリエ変換（ＦＦＴ）ハードウェア１２１を含み得る。
【００４７】
[0059]ワイヤレス通信デバイス１０４は、獲得を開始し得る９０２。１つの構成では、ワイヤレス通信デバイス１０４は、アンテナ、プロセッサ、およびメモリのうちの少なくとも１つを用いて、サービングセルの獲得を開始し得る９０２。ワイヤレス通信デバイス１０４は、サポートされている帯域に関するＡＲＦＣＮ  １１１のスキャンを実行し得る９０４。前述したように、ワイヤレス通信デバイス１０４は、スキャンを実行する９０４ために、広帯域受信機１１９を使用し得る。このスキャンは、複数の帯域および／または複数の無線アクセス技術（ＲＡＴ）にわたって実行され得る９０４。
【００４８】
[0060]ワイヤレス通信デバイス１０４は、ＦＣＣＨ  １１３を含むスキャンのうち、ＡＲＦＣＮ  １１１を識別し得る９０６。ほとんどのＡＲＦＣＮ  １１１は、トラフィック・チャネルになるであろう。しかしながら、ＡＲＦＣＮ  １１１のうちのいくつかは、ＢＣＣＨであり得る。ＢＣＣＨデータは、セルＩＤ、ロケーション・エリア・コード（ＬＡＣ）、モバイル・ネットワーク・コード（ＭＮＣ）、およびモバイル国コード（ＭＣＣ）を含み得る。ＡＲＦＣＮ  １１１がＢＣＣＨである場合、ＡＲＦＣＮ  １１１は、約５０ｍｓ毎に繰り返される６７ｋＨｚトーン（ＦＣＣＨ  １１３である）を含み得る。ＦＣＣＨ  １１３が発見されると、次のフレーム（４．６ｍｓ後）は、同期チャネル（ＳＣＨ）となるであろう。同期チャネル（ＳＣＨ）は、ワイヤレス通信デバイス１０４が、呼（a call）を開始し、サービングセルにキャンプ・オンする（camp on）ために必要な登録および公衆陸線モバイル・ネットワーク（ＰＬＭＮ）探索に対応する情報を含み得る。ワイヤレス通信デバイス１０４は、その後、同期チャネル（ＳＣＨ）を復号し得る９０８。１つの構成では、ワイヤレス通信デバイス１０４は、同期チャネル（ＳＣＨ）を復号する９０８ために、（すなわち、同期チャネル（ＳＣＨ）は、ＦＣＣＨ  １１３の直後に続くので、）１つまたは複数の識別されたＦＣＣＨ  １１３に対応するデータを使用し得る。ワイヤレス通信デバイス１０４は、アンテナ、プロセッサ、およびメモリのうちの少なくとも１つを用いて同期チャネル（ＳＣＨ）を復号し得る９０８。ワイヤレス通信デバイス１０４は、サービングセルを獲得するために、復号された同期チャネル（ＳＣＨ）を使用し得る。
【００４９】
[0061]図３は、いくつかの実施形態に従う、増強されたＧＳＭセル獲得のための方法１０００のフロー図である。この方法１０００は、ワイヤレス通信デバイス１０４によって実行され得る。１つの構成では、ワイヤレス通信デバイス１０４は、ＲＦ環境を認識していない（例えば、ワイヤレス通信デバイス１０４は、たった今、電源オンされた）クワッド帯域ＧＳＭデバイス（a quad-band GSM device）であり得る。ワイヤレス通信デバイス１０４は、ＥＧＳＭ帯域、ＧＳＭ−８５０帯域、ＰＣＳ帯域、およびＤＣＳ帯域をサポートし得る。
【００５０】
[0062]呼を行う前に、ワイヤレス通信デバイス１０４は、サービングセルを獲得しなければならない。したがって、ワイヤレス通信デバイス１０４は、獲得の一部として、サービングセルの獲得を開始し得る１００２。ワイヤレス通信デバイス１０４が、サービングセルを獲得すること１００２に費やす時間の長さ（例えば、多くの市販のワイヤレス通信デバイス１０４は、呼がなされる前に、サービングセルに登録するのに１０〜２０秒かかり得る）を低減することが所望され得る。ワイヤレス通信デバイス１０４がサービングセルを獲得すること１００２に費やす時間の長さを短縮するために、ワイヤレス通信デバイス１０４は、増強されたＧＳＭセル獲得モジュール１０５を使用し得る。
【００５１】
[0063]ワイヤレス通信デバイス１０４は、ＥＧＳＭ帯域のＡＲＦＣＮ  １１１をスキャンし得る１００４。ワイヤレス通信デバイス１０４はまた、ＧＳＭ−８５０帯域のＡＲＦＣＮ  １１１をスキャンし得る１００６。１つの構成では、ワイヤレス通信デバイス１０４は、広帯域受信機１１９を用いてＧＳＭ−８５０帯域およびＥＧＳＭ帯域のＡＲＦＣＮ  １１１をスキャンし得る。ワイヤレス通信デバイス１０４が、複数のローカル発振器（ＬＯ）を搭載しているのであれば、広帯域受信機１１９は、（５２ｍｓの期間にわたって）ＧＳＭ−８５０帯域とＥＧＳＭ帯域とを同時にスキャンし得る。
【００５２】
[0064]ワイヤレス通信デバイス１０４は、ＤＣＳ帯域のＡＲＦＣＮ  １１１をスキャンし得る１００８。１つの構成では、ワイヤレス通信デバイス１０４は、広帯域受信機１１９を用いて、ＤＣＳ帯域のＡＲＦＣＮ  １１１をスキャンし得る１００８。ワイヤレス通信デバイス１０４が、複数のローカル発振器（ＬＯ）を搭載しているのであれば、広帯域受信機１１９は、５２ｍｓの期間にわたって、ＤＣＳ帯域の３７５のチャネルをスキャンし得る（すなわち、２つのスキャンが、同時に実行される）。
【００５３】
[0065]ワイヤレス通信デバイス１０４はまた、ＰＣＳ帯域のＡＲＦＣＮ  １１１をスキャンし得る１０１０。１つの構成では、ワイヤレス通信デバイス１０４は、広帯域受信機１１９を用いて、ＰＣＳ帯域のＡＲＦＣＮ  １１１をスキャンし得る１０１０。ワイヤレス通信デバイス１０４が、複数のローカル発振器（ＬＯ）を搭載しているのであれば、広帯域受信機１１９は、５２ｍｓの期間にわたって、ＰＣＳ帯域の３００のチャネルをスキャンし得る１０１０（すなわち、２つのスキャンが、同時に実行される）。
【００５４】
[0066]スキャンされる帯域の順序は、いくつかの実施形態によれば、あまり重要ではない。例えば、１つの構成では、ワイヤレス通信デバイス１０４は、１番目にＤＣＳ帯域を、２番目にＥＧＳＭ帯域およびＧＳＭ−８５０帯域を、３番目にＰＣＳ帯域をスキャンし得る。別の構成では、ワイヤレス通信デバイス１０４は、１番目にＰＣＳ帯域を、２番目にＤＣＳ帯域を、３番目にＥＧＳＭ帯域およびＧＳＭ−８５０帯域をスキャンし得る。さらに、ワイヤレス通信デバイス１０４は、ＤＣＳ帯域、ＰＣＳ帯域、ＥＧＳＭ帯域、およびＧＳＭ−８５０帯域以外の他の帯域をサポートし得る。例えば、ワイヤレス通信デバイス１０４は、ＧＳＭ−７１０帯域、ＧＳＭ−７５０帯域、またはＴ−ＧＳＭ−９００帯域をサポートし得る。
【００５５】
[0067]ワイヤレス通信デバイス１０４は、ＦＣＣＨ  １１３を含むＡＲＦＣＮ  １１１を識別し得る１０１２。１つの構成では、ワイヤレス通信デバイス１０４は、ＦＣＣＨ  １１３を含むＡＲＦＣＮ  １１１を、高速フーリエ変換（ＦＦＴ）ハードウェア１２１を用いて識別し得る１０１２。ワイヤレス通信デバイス１０４はまた、ＢＣＣＨの受信信号強度インジケーション（ＲＳＳＩ）１１７を取得する１０１４ため、および、同じ広帯域スキャン・データにおいて識別されたＦＣＣＨ  １１３から離れた既知の期間のデータを用いて各ＡＲＦＣＮ  １１１に関するＳＣＨの時間を取得する１０１６ために、高速フーリエ変換（ＦＦＴ）ハードウェア１２１を使用し得る。ワイヤレス通信デバイス１０４はその後、識別されたＦＣＣＨ  １１３を、各ＦＣＣＨ  １１３の受信信号強度インジケーション（ＲＳＳＩ）１１５に従って、ソート１０１８し得る。これは、平均平方電力（averaged squared power）を計算することによって、受信されたＦＣＣＨ  １１３のＩＱサンプルを用いて直接計算され得る。１つの構成では、ワイヤレス通信デバイス１０４は、選択されるＡＲＦＣＮ  １１１として、最も高い受信信号強度インジケーション（ＲＳＳＩ）１１５を有する、識別されたＦＣＣＨ  １１３を含むＡＲＦＣＮ  １１１を選択し得る。その後、ワイヤレス通信デバイス１０４は、選択されたＡＲＦＣＮ  １１１で、同期チャネル（ＳＣＨ）を復号し得る。ワイヤレス通信デバイス１０４が、選択されたＡＲＦＣＮ  １１１で、同期チャネル（ＳＣＨ）を復号できないのであれば、ワイヤレス通信デバイス１０４は、選択されるＡＲＦＣＮ  １１１として、次に最も高い受信信号強度インジケーション（ＲＳＳＩ）１１５を有する、識別されたＦＣＣＨ  １１３を含む次のＡＲＦＣＮ  １１１を選択し得る。これは、ワイヤレス通信デバイス１０４が、同期チャネル（ＳＣＨ）を正しく復号できるまで、継続し得る。
【００５６】
[0068]スキャンされたＡＲＦＣＮ  １１１と、識別されたＦＣＣＨ  １１３の時間とを用いて、ワイヤレス通信デバイス１０４は、ＳＣＨ復号のために、ＡＲＦＣＮ  １１１のキャプチャされたＩＱデータ１０７の右セクションを配置し得る１０２０。３ＧＰＰ仕様４５．０００２によれば、ＦＣＣＨ  １１３タイミングが発見されると、後続するＳＣＨフレーム境界が決定され得る。なぜなら、このＳＣＨには、ＦＣＣＨ  １１３の終了後に、１０のＴＤＭＡフレームが配置されるからである。さらに、ＦＣＣＨ  １１３の識別中に検出される何れの周波数オフセットも、ＳＣＨの復号を試みる直前に、回転子１２３を用いることによって補償され得る。ワイヤレス通信デバイス１０４は次に、クリーンなＳＣＨ信号を得るために、狭帯域フィルタを適用し得る１０２２。その後、ワイヤレス通信デバイス１０４は、ＳＣＨを復号し得る１０２４。複数のＳＣＨが、単一のスキャンを用いて復号され得る。
【００５７】
[0069]いくつかのＡＲＦＣＮは、ＧＳＭによって使用されないことがあり得る（例えば、ＡＲＦＣＮ  ９７５−１０２３は、ＧＳＭによって使用されないことがあり得る）。したがって、ワイヤレス通信デバイス１０４は、ＡＲＦＣＮ  ９７５−１０２３をスキャンしないことによって、電力を節約し、スキャンに費やされる時間を低減し得る。リファーミングによって、これらＡＲＦＣＮは、異なる技術によって、将来使用され得る（これは、未使用のＡＲＦＣＮをスキャンするために時間を浪費的に使う古い方法となる）。本システムおよび方法は、電力スキャンを実行することなく、一度に多数のＡＲＦＣＮをスキャンし得る。これは、リファーミングが生じるので、相当な電力節約になる。発見されたすべてのＢＣＣＨの他に、異なるオペレータおよび異なるセルが存在し得る。さらに、１１のＢＣＣＨにわたって、ＳＩ  ３／４からのＰＬＭＮ探索も、広帯域受信機１１９を用いて発見され得る（というのも、ＢＣＣＨは、４５０ｍｓ反復周期であることを除いてＳＣＨと同じ方法で予測可能であるからである）。ショート・リストＢＣＣＨ（つまり、Ｓｉｓに至るＳＣＨ）のうち、ワイヤレス通信デバイス１０４がキャンプ・オンするための１つのＢＣＣＨが存在し、その他のＢＣＣＨは、Ｎｃｅｌｌまたは他のオペレータのＢＣＣＨとして使用され得る。
【００５８】
[0070]増強されたＧＳＭセル獲得モジュール１０５を用いることによって、ＡＲＦＣＨ  １１１のスキャンに費やされる電力が低減され得る。ＡＲＦＣＮ  １１１の電力スキャンが１つずつ実行されるのではなく、２００のＡＲＦＣＮ  １１１が各帯域においてスキャンされるので、電力節約が生じる。検出されたセルがＧＳＭではないのであれば、増強されたＧＳＭセル獲得モジュール１０５は、これを迅速に識別し、時間を浪費することなく、別の無線アクセス技術（ＲＡＴ）へ切り替わり得る。いくつかのシナリオでは、追加の無線アクセス技術（ＲＡＴ）は、待機時間に、１０秒以上ではなく、ほんの１００ｍｓしか追加しないであろう。
【００５９】
[0071]高速フーリエ変換（ＦＦＴ）ハードウェア１２１を用いて、ソフトウェアおよび／またはファームウェアは、（例えば、タスクを分割し、その後、ハードウェアによって実行されるいくつかのタスクと、ソフトウェアによって実行されるいくつかのタスクとを有することによって、）ＦＣＣＨ探索を実行する場合、従来の方法よりも最大２００倍も、より効率的になり得る。これは、各広帯域スキャンが、１つのＡＲＦＣＮ  １１１のための古いＧＳＭ獲得方法と同じ時間長さで、２００以上のＡＲＦＣＮ  １１１をカバーするであろうから、起こり得る。さらに、増強されたＧＳＭセル獲得モジュール１０５は、利用可能なすべてのＦＣＣＨ  １１３およびＳＣＨを獲得し得、これによって、Ｎｃｅｌｌ再確認手順を形成するためのより効率的な手法となる。最後に、増強されたＧＳＭセル獲得モジュール１０５は、迅速なサービングセル発見および登録を提供し得、これによって、ワイヤレス通信デバイス１０４が呼を行うことができる前に、ユーザによって経験される休止時間（down time）をより少なくする。
【００６０】
[0072]図４は、いくつかの実施形態に従うＡＲＦＣＮマルチフレーム１１７０を例示する。ＡＲＦＣＮマルチフレーム１１７０は、周波数補正チャネル（ＦＣＣＨ）１１７１を含むと決定された、スキャンされたＡＲＦＣＮ  １１１からのものであり得る。ＡＲＦＣＮマルチフレーム１１７０は、周波数補正チャネル（ＦＣＣＨ）１１７１を含むので、ＡＲＦＣＮマルチフレーム１１７０は、周波数補正チャネル（ＦＣＣＨ）１１７１の直後の同期チャネル（ＳＣＨ）１１７２をも含む。前述したように、ワイヤレス通信デバイス１０４は、どのＡＲＦＣＮ  １１１が周波数補正チャネル（ＦＣＣＨ）１１７１を含むのか、ＢＣＣＨの受信信号強度インジケーション（ＲＳＳＩ）、および、同期チャネル（ＳＣＨ）１１７２の時間、を識別するために、高速フーリエ変換（ＦＦＴ）ハードウェア１２１を使用し得る。ＡＲＦＣＮマルチフレーム１１７０はまた、ブロードキャスト制御チャネル（ＢＣＣＨ）、共通制御チャネル（ＣＣＣＨ）、およびスタンド・アロン専用制御チャネル（ＳＤＣＣＨ）、のような他の情報を含み得る。
【００６１】
[0073]図５は、いくつかの実施形態に従うワイヤレス通信デバイス１２０４を例示するブロック図である。図５のワイヤレス通信デバイス１２０４は、図１のワイヤレス通信デバイス１０４の１つの構成であり得る。ワイヤレス通信デバイス１２０４は、ＧＳＭ受信機１２８３および広帯域受信機１２１９を含み得る。現代の多くのワイヤレス通信デバイス１２０４は、マルチモード・デバイスとして構成されており、したがって、（例えば、ＬＴＥ、Ｗｉ−Ｆｉ、またはＷＣＤＭＡにおける使用のために）ＧＳＭ受信機１２８３と広帯域受信機１２１９との両方を含み得る。典型的なＧＳＭ動作のために、広帯域受信機１２１９は使用されない。利点は、ＧＳＭ受信機１２８３のためにＡＲＦＣＮ  １１１のスキャンを実行するために、広帯域受信機１２１９を使用することにより実現され得る。
【００６２】
[0074]ＧＳＭ受信機１２８３は、ＡＲＦＣＮ  １１１のスキャンに関する要求１２８１を、広帯域受信機１２１９へ送信し得る。例えば、ＧＳＭ受信機１２８３は、起動時に、この要求１２８１を、ソフトウェアがリイメージされた後、ワイヤレス通信デバイス１２０４が異なる国、地域、またはセルへ持ち込まれた後、または、ワイヤレス通信デバイス１２０４が、新たなＳＩＭカードを受け取った後、広帯域受信機１２１９へ送信し得る。この要求を受信すると、広帯域受信機１２１９は、ＡＲＦＣＮ  １１１のスキャンを実行し得る。例えば、広帯域受信機１２１９は、どのＡＲＦＣＮ  １１１がＦＣＣＨ  １１７１を含むのかを決定するために、ＧＳＭ−８５０帯域、ＥＧＳＭ帯域、ＤＣＳ帯域、およびＰＣＳ帯域においてＡＲＦＣＮ  １１１をスキャンし得る。その後、広帯域受信機１２１９は、ＦＣＣＨ  １１７１を含むＡＲＦＣＮ  １１１のリストを、ＧＭＳ受信機１２８３へ返し得る１２８２。ＧＳＭ受信機１２８３は、同期チャネル（ＳＣＨ）１１７２を取得するために、ＦＣＣＨ  １１７１を含むＡＲＦＣＮ  １１１のリストを用い得、これによって、加入者ネットワークに登録し得る。
【００６３】
[0075]図６は、いくつかの実施形態に従う、ワイヤレス通信システム２００の例を示す。ワイヤレス通信システム２００は、複数の基地局２０２および複数のワイヤレス通信デバイス２０４を含む。各基地局２０２は、特定の地理的エリア２０６のための通信カバレージを提供する。
【００６４】
[0076]システム容量を向上するために、基地局カバレージエリア２０６は、例えば３つのより小さなエリア２０８ａ，２０８ｂ，２０８ｃのような複数のより小さなエリアに分割され得る。より小さな各エリア２０８ａ，２０８ｂ，２０８ｃは、それぞれの基地トランシーバ局（ＢＴＳ）によってサービス提供され得る。「セクタ」という用語は、この用語が使用されるコンテキストに依存して、ＢＴＳおよび／またはそのカバレージエリア２０８を指し得る。セクタ化されたセルの場合、このセルのすべてのセクタのためのＢＴＳは一般に、このセルのための基地局２０２内に共存する。
【００６５】
[0077]ワイヤレス通信デバイス２０４は、一般に、ワイヤレス通信システム２００の全体に分布している。集中アーキテクチャの場合、システム・コントローラ２１０が、基地局２０２に結合しており、基地局２０２のための調整および制御を提供し得る。システム・コントローラ２１０は、単一のネットワーク・エンティティであるか、複数のネットワーク・エンティティの集合であり得る。別の例として、分散型アーキテクチャの場合、基地局２０２は、必要に応じて互いに通信し得る。
【００６６】
[0078]図７は、いくつかの実施形態に従う、ワイヤレス通信システムにおける送信機３７１および受信機３７３のブロック図を示す。ダウンリンク１２９の場合、送信機３７１は、基地局１０２の一部であり得、受信機３７３は、ワイヤレス通信デバイス１０４の一部であり得る。アップリンク１２７の場合、送信機３７１は、ワイヤレス通信デバイス１０４の一部であり得、受信機３７３は、基地局１０２の一部であり得る。
【００６７】
[0079]送信機３７１では、送信（ＴＸ）データ・プロセッサ３７５が、データ３３０を受信および処理（例えば、フォーマット、符号化、およびインタリーブ）し、コード化されたデータを提供する。変調器３１２は、コード化されたデータに対して変調を実行し、変調信号を提供する。変調器３１２は、ＧＳＭのためのガウシアン最小シフト・キーイング（ＧＭＳＫ）、Enhanced Data rates for Global Evolution（ＥＤＧＥ）のための８アレイ位相シフト・キーイング（８−ＰＳＫ）、等を実行し得る。ＧＭＳＫは、連続的なフェーズ変調プロトコルである一方、８−ＰＳＫは、デジタル変調プロトコルである。送信機ユニット（ＴＭＴＲ）３１８は、変調信号を調整（例えば、フィルタリング、増幅、およびアップコンバート）し、ＲＦ変調信号を生成する。これは、アンテナ３２０を介して送信される。
【００６８】
[0080]受信機３７３では、アンテナ３２２が、送信機３７１および他の送信機から、ＲＦ変調信号を受信する。アンテナ３２２は、受信したＲＦ信号を、受信機ユニット（ＲＣＶＲ）３２４に提供する。受信機ユニット３２４は、この受信されたＲＦ信号を、調整（例えば、フィルタリング、増幅、およびダウンコンバート）し、この調整された信号をデジタル化して、サンプルを提供する。復調器３２６は、後述されるようにサンプルを処理し、復調データを提供する。受信（ＲＸ）データ・プロセッサ３２８は、復調データを処理（例えば、デインタリーブおよび復号）し、復号データ３３２を提供する。一般に、復調器３２６およびＲＸデータ・プロセッサ３２８による処理は、送信機３７１における、変調器３１２およびＴＸデータ・プロセッサ３７５による処理に対して相補的である。
【００６９】
[0081]コントローラ／プロセッサ３１４および３３４は、送信機３７１および受信機３７３それぞれにおける動作を指示し得る。メモリ３１６および３３６は、プログラム・コードを、送信機３７１および受信機３７３それぞれによって使用されるコンピュータ・ソフトウェアおよびデータの形式で記憶する。
【００７０】
[0082]図８は、いくつかの実施形態に従う、受信機３７３における受信機ユニット４２４および復調器４２６の設計のブロック図を示す。アンテナ４２２は、受信機ユニット４２４に結合され得る。受信機ユニット４２４内では、受信チェーン４２７は、受信されたＲＦ信号を処理し、Ｉ（同相）およびＱ（直交）のベースバンド信号を提供する。これらは、ＩｂｂおよびＱｂｂとして表される。所望または必要とされると、受信チェーン４２７は、低ノイズ増幅、アナログ・フィルタリング、直交ダウンコンバージョン等を実行し得る。アナログ・デジタル変換器（ＡＤＣ）４２８は、サンプリング・クロック４２９からのサンプリング・レートｆａｄｃで、ＩおよびＱのベースバンド信号をデジタル化し、IサンプルおよびＱサンプルを提供する。これらは、ＩａｄｃおよびＱａｄｃとして示される。一般に、ＡＤＣサンプリング・レートｆａｄｃは、任意の整数または非整数である係数によって、シンボル・レートｆｓｙｍに関連付けられ得る。
【００７１】
[0083]復調器４２６内では、プリ・プロセッサ４３０が、アナログ・デジタル変換器（ＡＤＣ）４２８からのＩサンプルおよびＱサンプルについて前処理を実行する。例えば、プリ・プロセッサ４３０は、直流（ＤＣ）オフセットの除去、周波数オフセットの除去等を行い得る。入力フィルタ４３２は、特定の周波数応答に基づいて、プリ・プロセッサ４３０からのサンプルをフィルタリングし、入力Ｉサンプルおよび入力Ｑサンプルを提供する。これらはＩｉｎおよびＱｉｎとして表される。入力フィルタ４３２は、ジャマ（jammers）のみならず、アナログ・デジタル変換器（ＡＤＣ）４２８によるサンプリングの結果生じるイメージを抑制するために、ＩサンプルおよびＱサンプルをフィルタリングし得る。入力フィルタ４３２はまた、例えば２４Ｘオーバーサンプリングから２Ｘオーバーサンプリングへ下げるような、サンプル・レート変換を実行し得る。データ・フィルタ４３３は、別の周波数応答に基づいて、入力フィルタ４３２からの入力Ｉサンプルおよび入力Ｑサンプルをフィルタリングし、出力Ｉサンプルおよび出力Ｑサンプルを提供する。これらはＩｏｕｔおよびＱｏｕｔとして表される。入力フィルタ４３２およびデータ・フィルタ４３３は、有限インパルス応答（ＦＩＲ）フィルタ、無限インパルス応答（ＩＩＲ）フィルタ、またはその他のタイプのフィルタで実現され得る。入力フィルタ４３２およびデータ・フィルタ４３３の周波数応答は、良好なパフォーマンスを達成するように選択され得る。１つの設計では、入力フィルタ４３２の周波数応答は、固定され、データ・フィルタ４３３の周波数応答は、設定可能である。
【００７２】
[0084]隣接チャネル干渉（ＡＣＩ）検出器４３４は、入力フィルタ４３２から入力Ｉサンプルおよび入力Ｑサンプルを受け取り、受信したＲＦ信号における隣接チャネル干渉（ＡＣＩ）を検出し、隣接チャネル干渉（ＡＣＩ）インジケータ４３６をデータ・フィルタ４３３へ提供する。隣接チャネル干渉（ＡＣＩ）インジケータ４３６は、隣接チャネル干渉（ＡＣＩ）が存在するか否かと、存在するのであれば、隣接チャネル干渉（ＡＣＩ）が＋２００キロヘルツ（ｋＨｚ）を中心とするより高いＲＦチャネルによるのか、および／または、−２００ｋＨｚを中心とするより低いＲＦチャネルによるのかと、を示し得る。データ・フィルタ４３３の周波数応答は、所望されるパフォーマンスを達成するために、隣接チャネル干渉（ＡＣＩ）インジケータ４３６に基づいて調節され得る。
【００７３】
[0085]等化器／検出器４３５は、データ・フィルタ４３３からの出力Ｉサンプルおよび出力Ｑサンプルを受け取り、これらサンプルに対して、等化、マッチト・フィルタリング（matched filtering）、検出、および／または、その他の処理を実行する。例えば、等化器／検出器４３５は、ＩサンプルおよびＱサンプルのシーケンスと、チャネル推定値とを考慮して、最も送信された可能性の高いシンボルのシーケンスを決定する最大尤度シーケンス推定器（ＭＬＳＥ）を実装し得る。
【００７４】
[0086]図９は、いくつかの実施形態に従うＧＳＭにおける例示的なフレーム・フォーマットおよびバースト・フォーマットを示す。送信のためのタイムラインは、マルチフレーム５３７に分割される。ユーザ特有のデータを送信するために使用されるトラフィック・チャネルのために、この例における各マルチフレーム５３７は、２６のＴＤＭＡフレーム５３８を含む。これらは、ＴＤＭＡフレーム０〜２５としてラベル付けされている。トラフィック・チャネルは、各マルチフレーム５３７のＴＤＭＡフレーム０〜１１およびＴＤＭＡフレーム１３〜２４内で送信される。制御チャネルは、ＴＤＭＡフレーム１２内で送信される。近隣の基地局１０２によって送信された信号の測定を行うためにワイヤレス通信デバイス１０４によって使用されるアイドルなＴＤＭＡフレーム１２内ではデータは送信されない。
【００７５】
[0087]フレーム内の各タイム・スロットはまた、ＧＳＭにおいて「バースト」５３９とも称される。各バースト５３９は、２つのテール・フィールド（tail fields）、２つのデータ・フィールド、トレーニングシーケンス（または、ミッドアンブル）フィールド、およびガード期間（ＧＰ）を含む。各フィールドにおけるシンボルの数が、括弧内に示される。バースト５３９は、テール・フィールド、データ・フィールド、およびミッドアンブル・フィールドに関するシンボルを含む。シンボルは、ガード期間では送信されない。特定のキャリア周波数のＴＤＭＡフレームは、符番され、マルチフレーム５３７と呼ばれる２６または５１のＴＤＭＡフレーム５３８からなるグループ内に形成される。
【００７６】
[0088]さらに、各基地局１０２は、１つまたは複数のキャリア周波数を割り当てられる。８つの連続したタイム・スロットが、４．６１５ミリ秒（ｍｓ）の持続時間を有する１つのＴＤＭＡフレーム５３８を形成するように、各キャリア周波数は、ＴＤＭＡを用いて、（タイム・スロット０〜７としてラベル付けされる）８つのタイム・スロットへ分割される。物理チャネルは、ＴＤＭＡフレーム５３８内に１つのタイム・スロットを占有する。アクティブな各ワイヤレス通信デバイス１０４またはユーザは、呼の持続のために、１つまたは複数のタイム・スロット・インデクスを割り当てられる。各ワイヤレス通信デバイス１０４に関するユーザ特有データは、そのワイヤレス通信デバイス１０４に割り当てられた（１つまたは複数の）タイム・スロット内、および、そのトラフィック・チャネルのために使用されるＴＤＭＡフレーム５３８内で送信される。
【００７７】
[0089]図１０は、いくつかの実施形態に従うＧＳＭシステムにおける例示的なスペクトル６００を示す。この例において、５つのＲＦ変調信号が、２００ｋＨｚずつ離された５つのＲＦチャネル上で送信される。関心のあるＲＦチャネルは、０Ｈｚの中心周波数で示される。２つの隣接したＲＦチャネルは、所望されるＲＦチャネルの中心周波数から＋２００ｋＨｚおよび−２００ｋＨｚである中心周波数を有する。次の２つの最も近いＲＦチャネル（ブロッカ（brockers）または非隣接ＲＦチャネルと称される）は、所望されるＲＦチャネルの中心周波数から＋４００ｋＨｚおよび−４００ｋＨｚである中心周波数を有する。スペクトル６００内にはその他のＲＦチャネルが存在し得る。これらは、簡略のために、図１０に示されていない。ＧＳＭでは、ＲＦ変調信号が、ｆｓｙｍ＝１３０００／４０＝２７０．８キロ・シンボル／秒（ｋｓｐｓ）のシンボル・レートで生成され、最大１３５ｋＨｚの−３デシベル（ｄＢ）帯域幅を有する。したがって、図１０に示されるように、隣接するＲＦチャネルにおけるＲＦ変調信号は、エッジにおいて、互いにオーバラップし得る。
【００７８】
[0090]ＧＳＭ／ＥＤＧＥでは、周波数バースト（ＦＢ）が、基地局１０２によって規則的に送信される。これによって、ワイヤレス通信デバイス１０４は、周波数オフセット推定および補正を用いて、それらのローカル発振器（ＬＯ）を、基地局１０２のローカル発振器（ＬＯ）へ同期させることが可能となる。これらのバーストは、単一のトーンを備える。それは、すべて「０」のペイロードおよびトレーニングシーケンスに対応する。周波数バーストのすべて０のペイロードは、一定の周波数信号、または単一のトーン・バーストである。獲得中、ワイヤレス通信デバイス１０４は、キャリアのリストから、周波数バーストを連続的に捜し求める。周波数バーストを検出すると、ワイヤレス通信デバイス１０４は、キャリアから６７．７ｋＨｚである、その公称周波数（nominal frequency）に対する周波数オフセットを推定するであろう。ワイヤレス通信デバイス１０４のローカル発振器（ＬＯ）は、この推定された周波数オフセットを用いて補正されるであろう。起動モードでは、周波数オフセットは、＋／−１９ｋＨｚと同等であり得る。ワイヤレス通信デバイス１０４は、その同期をスタンバイ・モードで維持するために、定期的にウェイクアップし、周波数バーストをモニタリングするであろう。スタンバイ・モードでは、周波数オフセットは、±２ｋＨｚ内である。
【００７９】
[0091]ＧＥＲＡＮシステムでは、音声、データ、および／または、制御情報のような情報を通信するために、１つまたは複数の変調スキームが使用される。変調スキームの例は、ＧＭＳＫ（ガウシアン最小シフト・キーイング）、ＭアレイＱＡＭ（直交振幅変調）、またはＭアレイＰＳＫ（位相シフト・キーイング）を含み得る。ここでＭ＝２ｎであり、ｎは、指定された変調スキームについて、シンボル期間内に符号化されたビット数である。ＧＭＳＫは、毎秒２７０．８３キロビット（Ｋｂｐｓ）の最大レートでの純粋な送信を可能にする一定のエンベロープ・バイナリ変調スキームである。
【００８０】
[0092]汎用パケット・無線サービス（ＧＰＲＳ）は、非音声サービスである。それは、情報が、モバイル電話ネットワークを介して送信および受信されることを可能にする。それは、回路交換データ（ＣＳＤ）およびショート・メッセージ・サービス（ＳＭＳ）を補強する。ＧＰＲＳは、ＧＳＭと同じ変調スキームを使用する。ＧＰＲＳは、単一の移動局によって、同時に、フレーム全体（８つのタイム・スロットすべて）が使用されることを可能にする。したがって、より高いデータ・スループット・レートが達成可能である。
【００８１】
[0093]ＥＤＧＥ規格は、ＧＭＳＫ変調および８−ＰＳＫ変調の両方を使用する。さらに、変調タイプは、バースト毎に変更され得る。ＥＤＧＥにおける８−ＰＳＫ変調は、３π／８回転を有する線形の８レベル位相変調である一方、ＧＭＳＫは、非線形のガウシアン・パルス形状の周波数変調である。しかしながら、ＧＳＭにおいて使用される特定のＧＭＳＫ変調は、線形変調（すなわち、π／２回転を有する２レベル位相変調）で近似され得る。近似されたＧＳＭＫのシンボル・パルスおよび８−ＰＳＫのシンボル・パルスは同一である。ＥＧＰＲＳ２規格は、ＧＭＳＫ、ＱＰＳＫ、８−ＰＳＫ、１６−ＱＡＭ、および３２−ＱＡＭ変調を用いる。変調タイプは、バースト毎に変更され得る。ＥＧＰＲＳ２におけるＱ−ＰＳＫ、８−ＰＳＫ、１６−ＱＡＭ、および３２−ＱＡＭ変調は、３π／４、３π／８、π／４、―π／４回転を有する線形の４レベル、８レベル、１６レベル、および３２レベル位相変調である一方、ＧＭＳＫは、非線形のガウシアン・パルス形状の周波数変調である。しかしながら、ＧＳＭにおいて使用される特定のＧＭＳＫ変調は、線形変調（すなわち、π／２回転を有する２レベル位相変調）で近似され得る。近似されたＧＳＭＫのシンボル・パルスおよび８−ＰＳＫのシンボル・パルスは同一である。Ｑ−ＰＳＫ、１６−ＱＡＭ、および３２−ＱＡＭのシンボル・パルスは、スペクトル的に狭いかまたは広いパルス形状を使用し得る。
【００８２】
[0094]図１１は、いくつかの実施形態に従って、送信回路７４１（電力増幅器７４２を含む）、受信回路７４３、電力コントローラ７４４、復号プロセッサ７４５、信号を処理する際に使用するための処理ユニット７４６、およびメモリ７４７を含むワイヤレス・デバイス７００の例を例示する。ワイヤレス・デバイス７００は、基地局１０２またはワイヤレス通信デバイス１０４であり得る。送信回路７４１および受信回路７４３は、ワイヤレス・デバイス７００と遠隔ロケーションとの間での、オーディオ通信のようなデータの送信および受信を可能にし得る。送信回路７４１および受信回路７４３は、アンテナ７４０に結合され得る。
【００８３】
[0095]処理ユニット７４６は、ワイヤレス・デバイス７００の動作を制御する。処理ユニット７４６はまた、中央処理ユニット（ＣＰＵ）と称され得る。読取専用メモリ（ＲＯＭ）とランダム・アクセス・メモリ（ＲＡＭ）との両方を含み得るメモリ７４７は、処理ユニット７４６に命令およびデータを提供する。メモリ７４７の一部は、不揮発性ランダム・アクセス・メモリ（ＮＶＲＡＭ）をも含み得る。
【００８４】
[0096]ワイヤレス・デバイス７００のさまざまな構成要素は、データ・バスのみならず、電力バス、制御信号バス、およびステータス信号バスを含み得るバス・システム７４９によって、共に結合される。明瞭さのために、図１１では、さまざまなバスが、バス・システム７４９として例示されている。
【００８５】
[0097]議論された方法のステップはまた、ワイヤレス・デバイス７００内のメモリ７４７に配置されたファームウェアまたはソフトウェアの形態の命令として記憶され得る。これら命令は、ワイヤレス・デバイス７００の（１つまたは複数の）コントローラ／プロセッサ２１０によって実行され得る。議論された方法のステップは、それとは別に、あるいは、連携して、ワイヤレス・デバイス７００内のメモリ７４７に配置されたファームウェアまたはソフトウェア７４８の形態の命令として記憶され得る。これらの命令は、図１１におけるワイヤレス・デバイス７００の処理ユニット７４６によって実行され得る。
【００８６】
[0098]図１２は、いくつかの実施形態に従う、送信機の構成および／またはプロセスの例を例示する。図１２の送信機の構成および／またはプロセスは、ワイヤレス通信デバイス１０４または基地局１０２のようなワイヤレス・デバイス内で実現され得る。図１２に示される機能および構成要素は、ソフトウェア、ハードウェア、または、ソフトウェアとハードウェアとの組み合わせによって実現され得る。その他の機能は、示された機能に加えて、または、その代わりに、図１２に追加され得る。
【００８７】
[0099]図１２において、データ・ソース８５０は、データｄ（ｔ）  ８５１を、フレーム品質インジケータ（ＦＱＩ）／エンコーダ８５２へ提供する。フレーム品質インジケータ（ＦＱＩ）／エンコーダ８５２は、巡回冗長検査（ＣＲＣ）のようなフレーム品質インジケータ（ＦＱＩ）をデータｄ（ｔ）  ８５１へ追加し得る。フレーム品質インジケータ（ＦＱＩ）／エンコーダ８５２はさらに、符号化されたシンボル８５３を提供するために、１つまたは複数のコーディング・スキームを用いて、データおよびフレーム品質インジケータ（ＦＱＩ）を符号化し得る。各コーディング・スキームは、例えば、畳み込みコーディング、ターボコーディング、ブロックコーディング、反復コーディング、その他のタイプのコーディング、または全くコーディングしないことからなる１つまたは複数のタイプのコーディングを含み得る。その他のコーディング・スキームは、自動反復要求（ＡＲＱ）、ハイブリッドＡＲＱ（Ｈ−ＡＲＱ）、およびインクリメント式冗長反復技法を含み得る。異なるタイプのデータは、異なるコーディング・スキームで符号化され得る。
【００８８】
[0100]インタリーバ８５４は、符号化されたデータ・シンボル８５３を、フェージング（fading）と対抗する（combat）ために、時間内にインタリーブし、シンボル８５５を生成する。インタリーブされたシンボル８５５は、フレーム８５７を生成するために、予め定義されたフレーム・フォーマットへと、フレーム・フォーマット・ブロック８５６によってマッピングされ得る。一例において、フレーム・フォーマット・ブロック８５６は、複数のサブ・セグメントから構成されているものとしてフレーム８５７を指定し得る。サブ・セグメントは、例えば、時間、周波数、コード、またはその他任意のディメンションのような、所与のディメンションに沿ったフレーム８５７の任意の連続した一部分であり得る。フレーム８５７は、そのような複数の固定されたサブ・セグメントから構成されることができ、各サブ・セグメントは、フレームに割り当てられたシンボルの総数のうちの一部分を含む。一例において、インタリーブされたシンボル８５５は、フレーム８５７を構成する複数Ｓ個のサブ・セグメントへとセグメント化される。
【００８９】
[0101]フレーム・フォーマット・ブロック８５６はさらに、例えば、インタリーブされたシンボル８５５と共に制御シンボル（図示せず）を含むことを指定し得る。そのような制御シンボルは、例えば、電力制御シンボル、フレーム・フォーマット情報シンボル等を含み得る。
【００９０】
[0102]変調器８５８は、変調データ８５９を生成するためにフレーム８５７を変調する。変調技法の例は、バイナリ位相シフト・キーイング（ＢＰＳＫ）および四位相シフト・キーイング（ＱＰＳＫ）を含む。変調器８５８はまた、変調データ８５９のシーケンスを反復し得る。
【００９１】
[0103]ベースバンド−無線周波数（ＲＦ）変換ブロック８６０は、変調データ８５９を、信号８６２として、アンテナ８６１を経由してワイヤレス通信リンクを介して１つまたは複数のワイヤレス・デバイス受信機へ送信するために、ＲＦ信号へ変換し得る。
【００９２】
[0104]図１３は、いくつかの実施形態に従うワイヤレス通信デバイス１３０４内に含まれ得るある構成要素を例示する。ワイヤレス通信デバイス１３０４は、アクセス端末、移動局、ユーザ機器（ＵＥ）等であり得る。ワイヤレス通信デバイス１３０４は、プロセッサ１３０３を含む。プロセッサ１３０３は、汎用のシングル・チップまたはマルチ・チップのマイクロプロセッサ（例えば、ＡＲＭ）、特別用途のマイクロプロセッサ（例えば、デジタル信号プロセッサ（ＤＳＰ））、マイクロコントローラ、プログラマブル・ゲート・アレイ等であり得る。プロセッサ１３０３は、中央処理装置（ＣＰＵ）と称され得る。図１３のワイヤレス通信デバイス１３０４には単一のプロセッサ１３０３しか示されていないが、別の構成では、複数のプロセッサの組み合わせ（例えば、ＡＲＭとＤＳＰ）が使用され得る。
【００９３】
[0105]ワイヤレス通信デバイス１３０４はまた、メモリ１３０５を含む。メモリ１３０５は、電子情報を記憶することができる任意の電子構成要素であり得る。メモリ１３０５は、ランダム・アクセス・メモリ（ＲＡＭ）、読取専用メモリ（ＲＯＭ）、磁気ディスク記憶媒体、光記憶媒体、ＲＡＭ内のフラッシュ・メモリ・デバイス、プロセッサと共に含まれた内蔵メモリ、ＥＰＲＯＭメモリ、ＥＥＰＲＯＭ（登録商標）メモリ、レジスタ、およびこれらの組み合わせを含むその他として具体化され得る。
【００９４】
[0106]データ１３０７ａおよび命令１３０９ａが、メモリ１３０５内に記憶され得る。命令１３０９ａは、本明細書に開示された方法を実施するプロセッサ１３０３によって実行可能であり得る。これら命令１３０９ａを実行することは、メモリ１３０５に記憶されたデータ１３０７ａの使用を含み得る。プロセッサ１３０３が、命令１３０９を実行する場合、命令１３０９ｂのさまざまな部分が、プロセッサ１３０３上にロードされ、データ１３０７ｂのさまざまな断片が、プロセッサ１３０３上にロードされ得る。
【００９５】
[0107]ワイヤレス通信デバイス１３０４はまた、アンテナ１３１７を介したワイヤレス通信デバイス１３０４への送信およびワイヤレス通信デバイス１３０４からの受信を可能にするために、送信機１３１１および受信機１３１３を含み得る。送信機１３１１および受信機１３１３は、集合的にトランシーバ１３１５と称され得る。ワイヤレス通信デバイス１３０４はまた、（図示しない）複数の送信機、複数のアンテナ、複数の受信機および／または複数のトランシーバを含み得る。
【００９６】
[0108]ワイヤレス通信デバイス１３０４は、デジタル信号プロセッサ（ＤＳＰ）１３２１を含み得る。ワイヤレス通信デバイス１３０４はまた、通信インターフェース１３２３を含み得る。通信インターフェース１３２３は、ユーザが、ワイヤレス通信デバイス１３０４とインタラクトすることを可能にし得る。
【００９７】
[0109]ワイヤレス通信デバイス１３０４のさまざまな構成要素は、電力バス、制御信号バス、ステータス信号バス、データ・バス等を含み得る１つまたは複数のバスによって共に結合され得る。明瞭さのために、図１３では、さまざまなバスが、バス・システム１３１９として例示される。
【００９８】
[0110]本明細書で記載された技法は、直交多重化スキームに基づく通信システムを含むさまざまな通信システムのために使用され得る。このような通信システムの例は、直交周波数分割多元接続（ＯＦＤＭＡ）システム、シングル・キャリア周波数分割多元接続（ＳＣ−ＦＤＭＡ）システム等を含む。ＯＦＤＭＡシステムは、直交周波数分割多重（ＯＦＤＭ）を利用する。これは、システム帯域幅全体を、複数の直交サブ・キャリアへ分割する変調技法である。これらサブ・キャリアはまた、トーン、ビン等と呼ばれ得る。各サブ・キャリアは、ＯＦＤＭを用いて、データと独立して変調され得る。ＳＣ−ＦＤＭＡシステムは、システム帯域幅にわたって分散されたサブ・キャリア上で送信するインタリーブされたＦＤＭＡ（ＩＦＤＭＡ）、隣接するサブ・キャリアのブロック上で送信するローカライズドＦＤＭＡ（ＬＦＤＭＡ）、あるいは、隣接するサブ・キャリアの複数のブロック上で送信するエンハンストＦＤＭＡ（ＥＦＤＭＡ）を利用し得る。一般に、変調シンボルは、ＯＦＤＭでは周波数領域で、ＳＣ−ＦＤＭＡでは時間領域で送信される。
【００９９】
[0111]前述した記載では、参照番号は、ときどき、さまざまな用語に関連して使用されている。用語が参照番号に関連して使用される場合、これは、これら図面のうちの１または複数において示される具体的な要素を指すことが意味される。用語が参照番号なしで使用される場合、これは、一般に、任意の特定の図面に対する限定のない用語を指すことが意味される。
【０１００】
[0112]用語「決定すること」は、広範なさまざまな動作を含むので、「決定すること」は、算出すること、計算すること、処理すること、導出すること、調査すること、探索すること（例えば、テーブル、データベース、または別のデータ構造を探索すること）、確認すること等を含み得る。さらに、「決定すること」は、受信すること（例えば、情報を受信すること）、評価すること（例えば、メモリ内のデータを評価すること）等を含み得る。さらに、「決定すること」は、解決すること、選択すること、選ぶこと、確立すること等を含み得る。
【０１０１】
[0113]フレーズ「〜に基づく」は、明確に別に指定されていないのであれば、「〜にのみ基づく」ことを意味しない。言い換えれば、フレーズ「〜に基づく」は、「〜にのみ基づく」と「少なくとも〜に基づく」との両方を説明する。
【０１０２】
[0114]「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、ステート・マシン等を含むように広く解釈されるべきである。いくつかの状況下では、「プロセッサ」は、特定用途向け集積回路（ＡＳＩＣ）、プログラマブル論理回路（ＰＬＤ）、フィールド・プログラマブル・ゲート・アレイ（ＦＰＧＡ）等を指し得る。「プロセッサ」という用語は、例えば、ＤＳＰとマイクロプロセッサとの組み合わせ、複数のマイクロプロセッサ、ＤＳＰコアと連携した１つまたは複数のマイクロプロセッサ、または、その他任意のこのような構成のような処理デバイスの組み合わせを指し得る。
【０１０３】
[0115]「メモリ」という用語は、電子情報を記憶することができる任意の電子構成要素を含むように広く解釈されるべきである。メモリという用語は、例えば、ランダム・アクセス・メモリ（ＲＡＭ）、読取専用メモリ（ＲＯＭ）、不揮発性ランダム・アクセス・メモリ（ＮＶＲＡＭ）、プログラマブル読取専用メモリ（ＰＲＯＭ）、消去可能なプログラマブル読取専用メモリ（ＥＰＲＯＭ）、電子的に消去可能なＰＲＯＭ（ＥＥＰＲＯＭ）、フラッシュ・メモリ、磁気的または光学的なデータストレージ、レジスタ等のようなさまざまなタイプのプロセッサ読取可能媒体を指し得る。プロセッサが、メモリから情報を読み取ったり、メモリへ情報を書き込んだりできる場合、メモリは、プロセッサと電気的に通信していると称される。プロセッサに統合されたメモリは、プロセッサと電気的に通信している。
【０１０４】
[0116]「命令」および「コード」という用語は、任意のタイプの（１つまたは複数の）コンピュータ読取可能なステートメントを含むように広く解釈されるべきである。例えば、「命令」および「コード」という用語は、１つまたは複数のプログラム、ルーチン、サブ・ルーチン、関数、プロシージャ等を指し得る。「命令」および「コード」は、単一のコンピュータ読取可能なステートメント、または、多くのコンピュータ読取可能なステートメントを備え得る。
【０１０５】
[0117]本明細書に記載された機能は、ハードウェアによって実行されるファームウェアまたはソフトウェアにおいて実施され得る。これら機能は、コンピュータ読取可能な媒体上に１つまたは複数の命令として記憶され得る。「コンピュータ読取可能な媒体」または「コンピュータ・プログラム製品」という用語は、コンピュータまたはプロセッサによってアクセスされ得る任意の有形の記憶媒体を指す。限定ではなく例として、コンピュータ読取可能な媒体は、ＲＡＭ、ＲＯＭ、ＥＥＰＲＯＭ、ＣＤ−ＲＯＭまたはその他の光ディスクストレージ、磁気ディスクストレージまたはその他の磁気記憶デバイス、あるいは、所望のプログラム・コードを命令またはデータ構造の形態で搬送または記憶するために使用され、しかも、コンピュータによってアクセスされ得るその他任意の媒体を備え得る。本明細書において使用されるようなｄｉｓｋおよびｄｉｓｃは、コンパクト・ディスク（ｄｉｓｃ）（ＣＤ）、レーザーディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−Ｒａｙ（登録商標）ディスク（ｄｉｓｃ）を含んでおり、ここで、ｄｉｓｋは通常、データを磁気的に再生する一方、ｄｉｓｃは、レーザを用いてデータを光学的に再生する。コンピュータ読取可能な媒体は、有形かつ非一時的であり得ることが留意されるべきである。用語「コンピュータ・プログラム製品」は、コンピューティング・デバイスまたはプロセッサによって実行、処理、または計算され得るコードまたは命令（例えば、「プログラム」）と連携しているコンピューティング・デバイスまたはプロセッサを指す。本明細書で使用されるように、用語「コード」は、コンピューティング・デバイスまたはプロセッサによって実行可能なソフトウェア、命令、コード、またはデータを指し得る。
【０１０６】
[0118]ソフトウェアまたは命令は、送信媒体を介しても送信され得る。例えば、同軸ケーブル、光ファイバ・ケーブル、ツイストペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイストペア、ＤＳＬ、あるいは、例えば赤外線、無線およびマイクロ波のような無線技術が、送信媒体の定義に含まれる。
【０１０７】
[0119]本明細書で開示された方法は、説明された方法を達成するための１つまたは複数のステップまたは動作を備える。方法ステップおよび／または動作は、特許請求の範囲から逸脱することなく相互に置換され得る。言い換えれば、説明されている方法の適切な動作のために、ステップまたは動作の具体的な順序が要求されていないのであれば、具体的なステップおよび／または動作の順序および／または使用は、特許請求の範囲から逸脱することなく修正され得る。
【０１０８】
[0120]さらに、例えば図２および図３によって例示されているように、本明細書で記載されている方法および技法を実行するためのモジュールおよび／またはその他の適切な手段は、デバイスによってダウンロードされるか、および／または、そうでなければ、取得され得ることが認識されるべきである。例えば、本明細書に記載された方法を実行するための手段の転送を容易にするために、デバイスがサーバに結合され得る。あるいは、本明細書に記載されたさまざまな方法が、（例えば、ランダム・アクセス・メモリ（ＲＡＭ）、読取専用メモリ（ＲＯＭ）、例えばコンパクト・ディスク（ＣＤ）またはフロッピーディスク等のような物理記憶媒体のような）記憶手段によって提供され得、これによって、デバイスは、このような記憶手段に結合されるか、または、このような記憶手段をデバイスに提供されると、さまざまな方法を取得できるようになる。さらに、本明細書で説明された方法および技法をデバイスに提供するために、その他任意の適切な技法が利用され得る。例えば、本明細書に記載された方法のうちのいくつかは、プロセッサ１３０３および１つまたは複数のローカル発振器（ＬＯ）、広帯域受信機１１９および高速フーリエ変換（ＦＦＴ）ハードウェア１２１、ソフトウェア、および／または、ファームウェアによって実行され得る。
【０１０９】
[0121]特許請求の範囲は、前述した正確な構成および構成要素に限定されないことを理解されたい。さまざまな修正、変更、および変形が、特許請求の範囲から逸脱することなく、本明細書に記載されたシステム、方法、および装置の構成、動作、および詳細においてなされ得る。
【図１】
2016518799.tif 000003
【図２】
2016518799.tif 000004
【図３】
2016518799.tif 000005
【図４】
2016518799.tif 000006
【図５】
2016518799.tif 000007
【図６】
2016518799.tif 000008
【図７】
2016518799.tif 000009
【図８】
2016518799.tif 000010
【図９】
2016518799.tif 000011
【図１０】
2016518799.tif 000012
【図１１】
2016518799.tif 000013
【図１２】
2016518799.tif 000014
【図１３】
2016518799.tif 000015
【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
無線通信のための方法であって、
獲得を開始することと、
サポートされている帯域に関する絶対的な無線周波数チャネル番号のスキャンを、広帯域受信機を用いて実行することと、ここにおいて、複数のスキャンは、複数のローカル発振器を用いて同時に実行される、
周波数補正チャネルを備える前記絶対的な無線周波数チャネル番号を識別することと、
前記識別された周波数補正チャネルに対応するデータを用いて同期チャネルを復号することと、
を備える、方法。
【請求項２】
前記方法が、マルチモード・ワイヤレス通信デバイスによって実行される、請求項１に記載の方法。
【請求項３】
少なくとも２つの帯域は、単一の期間にわたって同時にスキャンされる、請求項１に記載の方法。
【請求項４】
前記サポートされている帯域は、ＥＧＳＭ帯域、ＧＳＭ−８５０帯域、パーソナル通信サービス帯域、デジタル・セルラ・サービス帯域、ＰＧＳＭ帯域、ＲＧＳＭ帯域、ＧＳＭ  ４５０帯域、ＧＳＭ  ４８０帯域、ＧＳＭ  ７００帯域、およびＴ−ＧＳＭ  ８１０帯域のうちの１つまたは複数を備える、請求項１に記載の方法。
【請求項５】
前記同期チャネルを用いてサービングセルを獲得することをさらに備える、請求項１に記載の方法。
【請求項６】
前記広帯域受信機は、ロング・ターム・エボリューション広帯域受信機である、請求項１に記載の方法。
【請求項７】
前記広帯域受信機は、ワイヤレス・フィディリティ広帯域受信機である、請求項１に記載の方法。
【請求項８】
前記広帯域受信機は、広帯域チャネル分割多元接続広帯域受信機である、請求項１に記載の方法。
【請求項９】
スキャンされた絶対的な無線周波数チャネル番号のうちの、周波数補正チャネルを識別するために、高速フーリエ変換が使用される、請求項１に記載の方法。
【請求項１０】
前記識別された周波数補正チャネルを用いて、各絶対的な無線周波数チャネル番号のために、ブロードキャスト制御チャネルの受信信号強度インジケーションを取得することをさらに備える、請求項１に記載の方法。
【請求項１１】
各絶対的な無線周波数チャネル番号に関する同期チャネルの時間を、同じ広帯域スキャン・データ内の前記識別された周波数補正チャネルから離れた既知の期間のデータを用いて取得することをさらに備える、請求項１に記載の方法。
【請求項１２】
前記識別された周波数補正チャネルを、受信信号強度インジケーションに従ってソートすることをさらに備え、
ここにおいて、最も高い受信信号強度インジケーションを有する前記周波数補正チャネルを備える前記絶対的な無線周波数チャネル番号に対応する前記同期チャネルが、最初に復号される、請求項１に記載の方法。
【請求項１３】
選択された絶対的な無線周波数チャネル番号のキャプチャされたＩＱデータの右セクションを、同期チャネルのベースバンド信号の通常のフォーマットに配置することと、
クリーンな同期信号を取得するために、狭帯域フィルタを適用することと、
をさらに備える、請求項１２に記載の方法。
【請求項１４】
前記スキャンは、複数の無線アクセス技術のために、サポートされている帯域にわたって実行される、請求項１に記載の方法。
【請求項１５】
無線通信のための装置であって、
プロセッサと、
前記プロセッサと電気的に通信するメモリと、
前記メモリ内に記憶された命令と、
を備え、
前記命令が前記プロセッサによって実行されるとき、前記命令は、
獲得を開始することと、
サポートされている帯域に関する絶対的な無線周波数チャネル番号のスキャンを、広帯域受信機を用いて実行することと、ここにおいて、複数のスキャンは、複数のローカル発振器を用いて同時に実行される、
周波数補正チャネルを備える前記絶対的な無線周波数チャネル番号を識別することと、
前記識別された周波数補正チャネルに対応するデータを用いて同期チャネルを復号することと、
を行うために構成される、装置。
【請求項１６】
前記装置が、マルチモード・ワイヤレス通信デバイスである、請求項１５に記載の装置。
【請求項１７】
前記命令が前記プロセッサによって実行されるとき、前記命令は、単一の期間にわたって少なくとも２つの帯域を同時にスキャンするようにさらに構成される、請求項１５に記載の装置。
【請求項１８】
前記複数のローカル発振器が、並列構成で前記絶対的な無線周波数チャネル番号をスキャンするように構成される、請求項１７に記載の装置。
【請求項１９】
前記サポートされている帯域は、ＥＧＳＭ帯域、ＧＳＭ−８５０帯域、パーソナル通信サービス帯域、デジタル・セルラ・サービス帯域、ＰＧＳＭ帯域、ＲＧＳＭ帯域、ＧＳＭ  ４５０帯域、ＧＳＭ  ４８０帯域、ＧＳＭ  ７００帯域、およびＴ−ＧＳＭ  ８１０帯域のうちの１つまたは複数を備える、請求項１５に記載の装置。
【請求項２０】
前記命令が前記プロセッサによって実行されるとき、前記命令は、前記同期チャネルを用いてサービングセルを獲得するようにさらに構成される、請求項１５に記載の装置。
【請求項２１】
前記広帯域受信機は、ロング・ターム・エボリューション広帯域受信機である、請求項１５に記載の装置。
【請求項２２】
前記広帯域受信機は、ワイヤレス・フィディリティ広帯域受信機である、請求項１５に記載の装置。
【請求項２３】
前記広帯域受信機は、広帯域チャネル分割多元接続広帯域受信機である、請求項１５に記載の装置。
【請求項２４】
前記命令が前記プロセッサによって実行されるとき、前記命令は、スキャンされた絶対的な無線周波数チャネル番号のうちの、周波数補正チャネルを識別するために、高速フーリエ変換を使用するようにさらに構成される、請求項１５に記載の装置。
【請求項２５】
前記命令が前記プロセッサによって実行されるとき、前記命令は、前記識別された周波数補正チャネルを用いて、各絶対的な無線周波数チャネル番号のために、ブロードキャスト制御チャネルの受信信号強度インジケーションを取得するようにさらに構成される、請求項１５に記載の装置。
【請求項２６】
前記命令が前記プロセッサによって実行されるとき、前記命令は、各絶対的な無線周波数チャネル番号に関する前記同期チャネルの時間を、同じ広帯域スキャン・データ内の前記識別された周波数補正チャネルから離れた既知の期間のデータを用いて取得するようにさらに構成される請求項１５に記載の装置。
【請求項２７】
前記命令が前記プロセッサによって実行されるとき、前記命令は、前記識別された周波数補正チャネルを、受信信号強度インジケーションに従ってソートするようにさらに構成され、
ここにおいて、最も高い受信信号強度インジケーションを有する前記周波数補正チャネルを備える前記絶対的な無線周波数チャネル番号に対応する前記同期チャネルが、最初に復号される、請求項１５に記載の装置。
【請求項２８】
前記命令が前記プロセッサによって実行されるとき、前記命令は、
選択された絶対的な無線周波数チャネル番号のキャプチャされたＩＱデータの右セクションを、同期チャネルのベースバンド信号の通常のフォーマットに配置することと、
クリーンな同期信号を取得するために、狭帯域フィルタを適用することと、
を行うようにさらに構成される、請求項２７に記載の装置。
【請求項２９】
前記命令が前記プロセッサによって実行されるとき、前記命令は、複数の無線アクセス技術のために、サポートされている帯域にわたって前記スキャンを実行するようにさらに構成される、請求項１５に記載の装置。
【請求項３０】
無線通信のためのコンピュータ・プログラム製品であって、
前記コンピュータ・プログラム製品は、命令を有する非一時的なコンピュータ読取可能な媒体を備え、前記命令は、
ワイヤレス通信デバイスに、獲得を開始させるためのコードと、
前記ワイヤレス通信デバイスに、サポートされている帯域に関する絶対的な無線周波数チャネル番号のスキャンを、広帯域受信機を用いて実行させるためのコードと、ここにおいて、複数のスキャンは、複数のローカル発振器を用いて同時に実行される、
前記ワイヤレス通信デバイスに、周波数補正チャネルを備える前記絶対的な無線周波数チャネル番号を識別させるためのコードと、
前記ワイヤレス通信デバイスに、前記識別された周波数補正チャネルに対応するデータを用いて同期チャネルを復号させるためのコードと、
を備える、コンピュータ・プログラム製品。
【請求項３１】
前記ワイヤレス通信デバイスは、マルチモード・ワイヤレス通信デバイスである、請求項３０に記載のコンピュータ・プログラム製品。
【請求項３２】
前記サポートされている帯域は、ＥＧＳＭ帯域、ＧＳＭ−８５０帯域、パーソナル通信サービス帯域、デジタル・セルラ・サービス帯域、ＰＧＳＭ帯域、ＲＧＳＭ帯域、ＧＳＭ  ４５０帯域、ＧＳＭ  ４８０帯域、ＧＳＭ  ７００帯域、およびＴ−ＧＳＭ  ８１０帯域のうちの１つまたは複数を備える、請求項３０に記載のコンピュータ・プログラム製品。
【請求項３３】
スキャンされた絶対的な無線周波数チャネル番号のうちの、周波数補正チャネルを識別するために、高速フーリエ変換が使用される、請求項３０に記載のコンピュータ・プログラム製品。
【手続補正２】
【補正対象書類名】明細書
【補正対象項目名】０１０９
【補正方法】変更
【補正の内容】
【０１０９】
[0121]特許請求の範囲は、前述した正確な構成および構成要素に限定されないことを理解されたい。さまざまな修正、変更、および変形が、特許請求の範囲から逸脱することなく、本明細書に記載されたシステム、方法、および装置の構成、動作、および詳細においてなされ得る。
以下に、本願出願の当初の特許請求の範囲に記載された発明を付記する。
［書類名］特許請求の範囲
［Ｃ１］
無線通信のための方法であって、
獲得を開始することと、
サポートされている帯域に関する絶対的な無線周波数チャネル番号のスキャンを、広帯域受信機を用いて実行することと、
周波数補正チャネルを備える前記絶対的な無線周波数チャネル番号を識別することと、
前記識別された周波数補正チャネルに対応するデータを用いて同期チャネルを復号することと、を備える、方法。
［Ｃ２］
前記方法が、マルチモード・ワイヤレス通信デバイスによって実行される、Ｃ１に記載の方法。
［Ｃ３］
複数のローカル発振器を用いて複数のスキャンが同時に実行される、Ｃ１に記載の方法。
［Ｃ４］
前記サポートされている帯域は、ＥＧＳＭ帯域、ＧＳＭ−８５０帯域、パーソナル通信サービス帯域、デジタル・セルラ・サービス帯域、ＰＧＳＭ帯域、ＲＧＳＭ帯域、ＧＳＭ
４５０帯域、ＧＳＭ  ４８０帯域、ＧＳＭ  ７００帯域、およびＴ−ＧＳＭ  ８１０帯域のうちの１つまたは複数を備える、Ｃ１に記載の方法。
［Ｃ５］
前記同期チャネルを用いてサービングセルを獲得することをさらに備える、Ｃ１に記載の方法。
［Ｃ６］
前記広帯域受信機は、ロング・ターム・エボリューション広帯域受信機である、Ｃ１に記載の方法。
［Ｃ７］
前記広帯域受信機は、ワイヤレス・フィディリティ広帯域受信機である、Ｃ１に記載の方法。
［Ｃ８］
前記広帯域受信機は、広帯域チャネル分割多元接続広帯域受信機である、Ｃ１に記載の方法。
［Ｃ９］
スキャンされた絶対的な無線周波数チャネル番号のうちの、周波数補正チャネルを識別するために、高速フーリエ変換が使用される、Ｃ１に記載の方法。
［Ｃ１０］
前記識別された周波数補正チャネルを用いて、各絶対的な無線周波数チャネル番号のために、ブロードキャスト制御チャネルの受信信号強度インジケーションを取得することをさらに備える、Ｃ１に記載の方法。
［Ｃ１１］
各絶対的な無線周波数チャネル番号に関する同期チャネルの時間を、同じ広帯域スキャン・データ内の前記識別された周波数補正チャネルから離れた既知の期間のデータを用いて取得することをさらに備える、Ｃ１に記載の方法。
［Ｃ１２］
前記識別された周波数補正チャネルを、受信信号強度インジケーションに従ってソートすることをさらに備え、
ここにおいて、最も高い受信信号強度インジケーションを有する前記周波数補正チャネルを備える前記絶対的な無線周波数チャネル番号に対応する前記同期チャネルが、最初に復号される、Ｃ１に記載の方法。
［Ｃ１３］
選択された絶対的な無線周波数チャネル番号のキャプチャされたＩＱデータの右セクションを、同期チャネルのベースバンド信号の通常のフォーマットに配置することと、
クリーンな同期信号を取得するために、狭帯域フィルタを適用することと、をさらに備える、Ｃ１２に記載の方法。
［Ｃ１４］
前記スキャンは、複数の無線アクセス技術のために、サポートされている帯域にわたって実行される、Ｃ１に記載の方法。
［Ｃ１５］
無線通信のための装置であって、
プロセッサと、
前記プロセッサと電気的に通信するメモリと、
前記メモリ内に記憶された命令と、を備え、
前記命令は、
獲得を開始することと、
サポートされている帯域に関する絶対的な無線周波数チャネル番号のスキャンを、広帯域受信機を用いて実行することと、
周波数補正チャネルを備える前記絶対的な無線周波数チャネル番号を識別することと、
前記識別された周波数補正チャネルに対応するデータを用いて同期チャネルを復号することと、を行うために、前記プロセッサによって実行可能である、装置。
［Ｃ１６］
前記装置が、マルチモード・ワイヤレス通信デバイスである、Ｃ１５に記載の装置。
［Ｃ１７］
複数のローカル発振器を用いて複数のスキャンが同時に実行される、Ｃ１５に記載の装置。
［Ｃ１８］
前記複数のローカル発振器が、並列構成で前記絶対的な無線周波数チャネル番号をスキャンするように構成される、Ｃ１７に記載の装置。
［Ｃ１９］
前記サポートされている帯域は、ＥＧＳＭ帯域、ＧＳＭ−８５０帯域、パーソナル通信サービス帯域、デジタル・セルラ・サービス帯域、ＰＧＳＭ帯域、ＲＧＳＭ帯域、ＧＳＭ
４５０帯域、ＧＳＭ  ４８０帯域、ＧＳＭ  ７００帯域、およびＴ−ＧＳＭ  ８１０帯域のうちの１つまたは複数を備える、Ｃ１５に記載の装置。
［Ｃ２０］
前記命令は、前記同期チャネルを用いてサービングセルを獲得するようにさらに実行可能である、Ｃ１５に記載の装置。
［Ｃ２１］
前記広帯域受信機は、ロング・ターム・エボリューション広帯域受信機である、Ｃ１５に記載の装置。
［Ｃ２２］
前記広帯域受信機は、ワイヤレス・フィディリティ広帯域受信機である、Ｃ１５に記載の装置。
［Ｃ２３］
前記広帯域受信機は、広帯域チャネル分割多元接続広帯域受信機である、Ｃ１５に記載の装置。
［Ｃ２４］
スキャンされた絶対的な無線周波数チャネル番号のうちの、周波数補正チャネルを識別するために、高速フーリエ変換が使用される、Ｃ１５に記載の装置。
［Ｃ２５］
前記命令は、前記識別された周波数補正チャネルを用いて、各絶対的な無線周波数チャネル番号のために、ブロードキャスト制御チャネルの受信信号強度インジケーションを取得するようにさらに実行可能である、Ｃ１５に記載の装置。
［Ｃ２６］
前記命令は、各絶対的な無線周波数チャネル番号に関する前記同期チャネルの時間を、同じ広帯域スキャン・データ内の前記識別された周波数補正チャネルから離れた既知の期間のデータを用いて取得するようにさらに実行可能である、Ｃ１５に記載の装置。
［Ｃ２７］
前記命令は、前記識別された周波数補正チャネルを、受信信号強度インジケーションに従ってソートするようにさらに実行可能であり、
ここにおいて、最も高い受信信号強度インジケーションを有する前記周波数補正チャネルを備える前記絶対的な無線周波数チャネル番号に対応する前記同期チャネルが、最初に復号される、Ｃ１５に記載の装置。
［Ｃ２８］
前記命令は、
選択された絶対的な無線周波数チャネル番号のキャプチャされたＩＱデータの右セクションを、同期チャネルのベースバンド信号の通常のフォーマットに配置することと、
クリーンな同期信号を取得するために、狭帯域フィルタを適用することと、を行うようにさらに実行可能である、Ｃ２７に記載の装置。
［Ｃ２９］
前記スキャンは、複数の無線アクセス技術のために、サポートされている帯域にわたって実行される、Ｃ１５に記載の装置。
［Ｃ３０］
無線通信のためのコンピュータ・プログラム製品であって、
前記コンピュータ・プログラム製品は、命令を有する非一時的なコンピュータ読取可能な媒体を備え、前記命令は、
ワイヤレス通信デバイスに、獲得を開始させるためのコードと、
前記ワイヤレス通信デバイスに、サポートされている帯域に関する絶対的な無線周波数チャネル番号のスキャンを、広帯域受信機を用いて実行させるためのコードと、
前記ワイヤレス通信デバイスに、周波数補正チャネルを備える前記絶対的な無線周波数チャネル番号を識別させるためのコードと、
前記ワイヤレス通信デバイスに、前記識別された周波数補正チャネルに対応するデータを用いて同期チャネルを復号させるためのコードと、を備える、コンピュータ・プログラム製品。
［Ｃ３１］
前記ワイヤレス通信デバイスは、マルチモード・ワイヤレス通信デバイスである、Ｃ３０に記載のコンピュータ・プログラム製品。
［Ｃ３２］
前記サポートされている帯域は、ＥＧＳＭ帯域、ＧＳＭ−８５０帯域、パーソナル通信サービス帯域、デジタル・セルラ・サービス帯域、ＰＧＳＭ帯域、ＲＧＳＭ帯域、ＧＳＭ
４５０帯域、ＧＳＭ  ４８０帯域、ＧＳＭ  ７００帯域、およびＴ−ＧＳＭ  ８１０帯域のうちの１つまたは複数を備える、Ｃ３０に記載のコンピュータ・プログラム製品。
［Ｃ３３］
スキャンされた絶対的な無線周波数チャネル番号のうちの、周波数補正チャネルを識別するために、高速フーリエ変換が使用される、Ｃ３０に記載のコンピュータ・プログラム製品。
【国際調査報告】
2016518799.tif 000016
2016518799.tif 000017
2016518799.tif 000018